(57)【特許請求の範囲】
【請求項１】
画像データに基づいて画像を形成する印刷装置の装置構成情報を取得する取得手段と、
記録媒体に付与する表面効果の種類と前記表面効果を付与する前記記録媒体における領域を特定するための制御値が指定された光沢制御版データを記憶する記憶手段と、
前記装置構成情報に基づき、前記光沢制御版データのうち前記記録媒体に付与する表面効果の種類を、所定の表面効果の種類に置き換える置換手段と、
前記置換手段による置き換えが行われた光沢制御版データに基づき、前記画像データを生成する生成手段と、
を備えることを特徴とする印刷制御装置。
【請求項２】
前記置換手段は、前記光沢制御版データが同一ページにおいて示す複数のユーザ指定の表面効果が、取得された前記装置構成情報によって示される装置構成により同一ページに実現できないときに、実現できない種類のユーザ指定の表面効果を実現可能な種類の表面効果に置き換えて、置き換えた種類の表面効果を実現するように、前記画像データを生成する、請求項１に記載の印刷制御装置。
【請求項３】
最も光沢度の高い種類の表面効果に置き変える事を示す光沢優先、または最も光沢度の高い種類の表面効果以外の表面効果に置き換えることを示す種類優先に対するユーザによる選択を受け付ける選択手段を更に備え、
前記置換手段は、ユーザが前記選択手段を介して選択した選択結果が前記光沢優先であるときに、前記実現出来ない種類の表面効果を光沢優先で実現可能な表面効果に置き換え、前記選択結果が前記種類優先であるときに、前記実現できない種類の表面効果を種類優先で実現可能な表面効果に置き換える、請求項２に記載の印刷制御装置。
【請求項４】
前記印刷装置は、
有色の有色トナー及び無色のクリアトナーによるトナー像を記録媒体に形成するプリンタ機と、前記プリンタ機が形成した前記記録媒体上の前記トナー像を該記録媒体に再定着し、該記録媒体上の該トナー像の表面の平滑度をより向上させることで該トナー像の光沢度を高める第１装置、及び前記クリアトナーを付着させるためのクリアトナー版データを用いて前記クリアトナーによるトナー像を前記記録媒体に形成して所定の温度で定着させる複数の第２装置の内の少なくとも１以上を有する後処理機と、を備えると共に、
前記記録媒体を前記プリンタ機から前記後処理機へ搬送した後に排出するための第１搬送路と、前記第１搬送路を搬送された前記記録媒体を再度該第１搬送路における搬送方向上流側に戻すための第２搬送路と、前記記録媒体が前記第１搬送路を繰り返し搬送されるように搬送経路を切り替える切替手段を備え、
前記置換手段は、前記光沢制御版データが同一ページにおいて示す複数のユーザ指定の表面効果が、取得された前記装置構成情報によって示される前記後処理機の装置構成により前記第１搬送路の１回の搬送では同一ページに実現できないときに、前記第１搬送路を繰り返し搬送させるように前記印刷装置を制御する、請求項３に記載の印刷制御装置。
【請求項５】
前記選択手段は、ユーザ指定の表面効果の全種類の実現を示す全効果付与に対するユーザによる選択を更に受け付け、
前記生成手段は、ユーザが前記選択手段を介して選択した選択結果が前記全効果付与であるときに、前記記録媒体を前記第１搬送路に沿って繰り返し搬送させるように印刷制御手段を制御すると共に、前記第１搬送路の搬送回数毎に前記第１装置の設定及び前記クリアトナー版データの生成の少なくとも一方を行う、請求項４に記載の印刷制御装置。
【請求項６】
画像データを生成する印刷制御システムであって、
画像データに基づいて画像を形成する印刷装置の装置構成情報を取得する取得手段と、
記録媒体に付与する表面効果の種類と前記表面効果を付与する前記記録媒体における領域を特定するための制御値が指定された光沢制御版データを記憶する記憶手段と、
前記装置構成情報に基づき、前記光沢制御版データのうち前記記録媒体に付与する表面効果の種類を、所定の表面効果の種類に置き換える置換手段と、
前記置換手段による置き換えが行われた光沢制御版データに基づき、前記画像データを生成する生成手段と、
を備えることを特徴とする印刷制御システム。
【請求項７】
記録媒体に付与する表面効果の種類と前記表面効果を付与する前記記録媒体における領域を特定するための制御値が指定された光沢制御版データを記憶する記憶手段を備え、画像データを生成する印刷制御装置で実現される印刷制御方法であって、
画像データに基づいて画像を形成する印刷装置の装置構成情報を取得するステップと、
前記装置構成情報に基づき、前記光沢制御版データのうち前記記録媒体に付与する表面効果の種類を、所定の表面効果の種類に置き換えるステップと、
置き換えが行われた光沢制御版データに基づき、前記画像データを生成するステップと、
を備えることを特徴とする印刷制御方法。
【請求項８】
記録媒体に付与する表面効果の種類と前記表面効果を付与する前記記録媒体における領域を特定するための制御値が指定された光沢制御版データを記憶する記憶手段を備え、画像データを生成する印刷制御装置を制御するコンピュータに実行させるためのプログラムであって、
画像データに基づいて画像を形成する印刷装置の装置構成情報を取得するステップと、
前記装置構成情報に基づき、前記光沢制御版データのうち前記記録媒体に付与する表面効果の種類を、所定の表面効果の種類に置き換えるステップと、
置き換えが行われた光沢制御版データに基づき、前記画像データを生成するステップと、
を備えることを特徴とするプログラム。
【発明の詳細な説明】
【技術分野】
【０００１】
本発明は、印刷制御装置、印刷制御システム、印刷制御方法、及びプログラムに関する。
【背景技術】
【０００２】
従来、ＣＭＹＫの４色のトナーの他に、色材が入っていない無色のトナーであるクリアトナーを搭載した画像形成装置が存在する。このようなクリアトナーにより形成されたトナー像は、ＣＭＹＫのトナーにより画像が形成された記録媒体上に定着され、この結果記録媒体の面において視覚的な効果や触覚的な効果（表面効果という）が実現される。クリアトナーにどのようなトナー像を形成してどのような定着をさせるかによって、実現される表面効果が異なる。単純に光沢を与える表面効果もあれば、光沢を抑制する表面効果もある。また、全面に表面効果を与えるだけでなく、一部だけに表面効果を与えたり、クリアトナーによりテクスチャやウォーターマークをつけたりする表面効果も求められている。また、表面保護を求める場合もある。また、定着制御のほか、グロッサーや低温定着機などの専用の後処理機によって後処理を行うことで実現できる表面効果もある。近年では、例えば特許文献１に開示されているように、表面の一部の中でも望ましい部分にのみクリアトナーを付着させて光沢を与える技術が開発されている。
【０００３】
ところで、例えば特許文献２に開示されているように、光沢は、記録媒体に形成された画像の表面粗度の影響を受ける、即ち、ＣＭＹＫのトナーによって生じる表面の凹凸の影響を受ける。このため、クリアトナーの濃度に応じて単純に光沢の度合いが高くなるものではない。
【０００４】
即ち、光沢を与えるためには、画像の表面の平滑度をコントロールする必要がある。このためには、クリアトナーを付着させる画素についてのＣＭＹＫの各濃度値に合わせて、クリアトナーによるトナー像を形成するための画像データを作成する必要がある。
【発明の概要】
【発明が解決しようとする課題】
【０００５】
ここで、より複数種類の表面効果を付与する観点からは、予め定められた種類の後処理機が印刷装置に搭載されていることが好ましいが、様々な理由から、全ての表面効果を実現するために必要な複数種類の後処理機が搭載されていない場合がある。このため、後処理機の一部が搭載されていない場合には、ユーザは、後処理機の構成を考慮して実現可能な表面効果の種類の選択等を行う必要がある。しかしながら、ユーザ側でこのような設定を行うことは困難であった。
【０００６】
本発明は、上記に鑑みてなされたものであって、後処理機の一部が搭載されていない場合であっても、ユーザの手間を掛けることなく、画像が形成される記録媒体に対してクリアトナーによる表面効果を与えることが可能な印刷制御装置、印刷制御システム、印刷制御方法、及びプログラムを提供することを目的とする。
【課題を解決するための手段】
【０００７】
上述した課題を解決し、目的を達成するために、本発明の印刷制御装置は、取得手段と、記憶手段と、置換手段と、生成手段と、を備える、取得手段は、画像データに基づいて画像を形成する印刷装置の装置構成情報を取得する。記憶手段は、記録媒体に付与する表面効果の種類と前記表面効果を付与する前記記録媒体における領域を特定するための制御値が指定された光沢制御版データを記憶する。置換手段は、前記装置構成情報に基づき、前記光沢制御版データのうち前記記録媒体に付与する表面効果の種類を、所定の表面効果の種類に置き換える。生成手段は、前記置換手段による置き換えが行われた光沢制御版データに基づき、前記画像データを生成する。
【０００８】
本発明の印刷制御システムは、画像データを生成する印刷制御システムであって、画像データに基づいて画像を形成する印刷装置の装置構成情報を取得する取得手段と、記録媒体に付与する表面効果の種類と前記表面効果を付与する前記記録媒体における領域を特定するための制御値が指定された光沢制御版データを記憶する記憶手段と、前記装置構成情報に基づき、前記光沢制御版データのうち前記記録媒体に付与する表面効果の種類を、所定の表面効果の種類に置き換える置換手段と、前記置換手段による置き換えが行われた光沢制御版データに基づき、前記画像データを生成する生成手段と、を備えることを特徴とする。
【０００９】
本発明の印刷制御方法は、記録媒体に付与する表面効果の種類と前記表面効果を付与する前記記録媒体における領域を特定するための制御値が指定された光沢制御版データを記憶する記憶手段を備え、画像データを生成する印刷制御装置で実現される印刷制御方法である。本発明の印刷制御方法は、画像データに基づいて画像を形成する印刷装置の装置構成情報を取得するステップと、前記装置構成情報に基づき、前記光沢制御版データのうち前記記録媒体に付与する表面効果の種類を、所定の表面効果の種類に置き換えるステップと、置き換えが行われた光沢制御版データに基づき、前記画像データを生成するステップと、を備える。
【００１０】
本発明のプログラムは、記録媒体に付与する表面効果の種類と前記表面効果を付与する前記記録媒体における領域を特定するための制御値が指定された光沢制御版データを記憶する記憶手段を備え、画像データを生成する印刷制御装置を制御するコンピュータに実行させるためのプログラムであって、画像データに基づいて画像を形成する印刷装置の装置構成情報を取得するステップと、前記装置構成情報に基づき、前記光沢制御版データのうち前記記録媒体に付与する表面効果の種類を、所定の表面効果の種類に置き換えるステップと、置き換えが行われた光沢制御版データに基づき、前記画像データを生成するステップと、を備える。
【発明の効果】
【００１１】
本発明によれば、後処理機の一部が搭載されていない場合であっても、ユーザの手間を掛けることなく、画像が形成される記録媒体に対してクリアトナーによる表面効果を与えることができる。
【図面の簡単な説明】
【００１２】
【図１】図１は、第１の実施の形態に係る画像形成システムの構成を例示する図である。
【図２】図２は、有色版データの一例を示す図である。
【図３】図３は、光沢の有無に関する表面効果の種類を例示する図である。
【図４−１】図４−１は、光沢制御版データをイメージとして示した図である。
【図４−２】図４−２は、クリア版データの一例を示す図である。
【図５】図５は、印刷データの構成例を概念的に示す模式図である。
【図６】図６は、印刷装置の構成を示す模式図である。
【図７】図７は、ＤＦＥの機能的構成を例示する図である。
【図８】図８は、第１の実施の形態に係る画像形成システムの構成を例示する図である。
【図９】図９は、第１の実施の形態に係る画像形成システムの構成を例示する図である。
【図１０】図１０は、表面効果選択テーブルのデータ構成を例示する図である。
【図１１】図１１は、ＭＩＣの構成を概念的に例示する図である。
【図１２】図１２は、設定テーブルのデータ構成を例示する図である。
【図１３】図１３は、設定テーブルのデータ構成を例示する図である。
【図１４】図１４は、設定テーブルのデータ構成を例示する図である。
【図１５】図１５は、画像形成システムが行う光沢制御処理の手順を示すフローチャートである。
【図１６】図１６は、装置構成取得処理を示すフローチャートである。
【図１７】図１７は、置換処理を示すフローチャートである。
【図１８】図１８は、第２の実施の形態に係るＤＦＥの機能的構成を例示する図である。
【図１９】図１９は、入力画面を示す模式図である。
【図２０】図２０は、設定テーブルのデータ構成を例示する図である。
【図２１】図２１は、設定テーブルのデータ構成を例示する図である。
【図２２】図２２は、第２の実施の形態に係る光沢制御処理の手順を示すフローチャートである。
【図２３】図２３は、ＭＩＣが行う送信処理の手順を示すフローチャートである。
【図２４】図２４は、第３の実施の形態に係る画像形成システムの構成を例示する図である。
【図２５】図２５は、印刷装置の構成を示す模式図である。
【図２６】図２６は、第３の実施の形態に係るＤＦＥの機能的構成を例示する図である。
【図２７】図２７は、設定テーブルのデータ構成を例示する図である。
【図２８】図２８は、設定テーブルのデータ構成を例示する図である。
【図２９】図２９は、設定テーブルのデータ構成を例示する図である。
【図３０】図３０は、第３の実施の形態に係る光沢制御処理の手順を示すフローチャートである。
【図３１】図３１は、ＭＩＣが行う送信処理の手順を示すフローチャートである。
【図３２】図３２は、第４の実施の形態に係るＤＦＥの機能的構成を例示する図である。
【図３３】図３３は、入力画面を示す模式図である。
【図３４】図３４は、第４の実施の形態に係る光沢制御処理の手順を示すフローチャートである。
【図３５】図３５は、ＭＩＣが行う送信処理の手順を示すフローチャートである。
【図３６】図３６は、第５の実施の形態に係る画像形成システムの構成を例示する図である。
【図３７】図３７は、第５の実施の形態にかかるサーバ装置の機能的構成を示すブロック図である。
【図３８】図３８は、第５の実施の形態のＤＦＥの機能的構成を示すブロック図である。
【図３９】図３９は、第５実施の形態のＤＦＥによる光沢制御処理の手順を示すフローチャートである。
【図４０】図４０は、第５の実施の形態のサーバによるクリアトナー版データ生成処理の手順を示すフローチャートである。
【図４１】図４１は、クラウド上に２つのサーバを設けたネットワーク構成図である。
【図４２】図４２は、ホスト装置、ＤＦＥ、サーバ装置のハードウェア構成図である。
【発明を実施するための形態】
【００１３】
以下に添付図面を参照して、この発明にかかる印刷制御装置、印刷制御システム、印刷制御方法、及びプログラムの一実施の形態を詳細に説明する。
【００１４】
（第１の実施の形態）
まず、本実施の形態に係る画像形成システムの構成について図１を用いて説明する。本実施の形態においては、画像形成システム１０は、プリンタコントローラ（ＤＦＥ：Ｄｉｇｉｔａｌ  Ｆｒｏｎｔ  Ｅｎｄ）（以下、ＤＦＥと称する場合がある）５０、インタフェースコントローラ（ＭＩＣ：Ｍｅｃｈａｎｉｓｍ  Ｉ／Ｆ  Ｃｏｎｔｏｒｏｌｌｅｒ）（以下、ＭＩＣと称する場合がある）６０と、印刷装置３０と、を備えている。
【００１５】
印刷装置３０は、プリンタ機７０と、後処理機４０と、が接続されて構成されている。
【００１６】
後処理機４０としては、グロッサー８０、定着機として通常定着機を搭載した後処理機９０Ａ、及び定着機として低温定着機を搭載した後処理機９０Ｂが挙げられる。グロッサー８０は、プリンタ機７０で一度記録媒体に定着されたトナー像を、該記録媒体に再定着し、該記録媒体上の該トナー像の表面の平滑度をより向上させることで、該トナー像の表面の光沢度を高める装置である。装置の実現手段については特に限定しない。後処理機９０Ａ、９０Ｂは夫々定着器の他にクリアトナー用の感光体、帯電器、現像器及び感光体クリーナを含む作像ユニット、露光器が搭載されている。なお、本実施の形態では、後処理機４０として、これらのグロッサー８０、定着機として通常定着機を搭載した後処理機９０Ａ、及び定着機として低温定着機を搭載した後処理機９０Ｂの内、少なくとも１つ以上が搭載されておらず、且つ少なくとも１つが搭載されている。
【００１７】
ＤＦＥ５０は、ＭＩＣ６０を介してプリンタ機７０と通信を行い、プリンタ機７０での画像の形成を制御する。ＤＦＥ５０は、例えば、ＰＣ（Ｐｅｒｓｏｎａｌ  Ｃｏｍｐｕｔｅｒ）で構成される。また、ＤＦＥ５０には、他のＰＣ等のホスト装置４９が接続され、ＤＦＥ５０は、ホスト装置４９から画像データを受信して、当該画像データを用いて、プリンタ機７０がＣＭＹＫの各トナー及びクリアトナーに応じたトナー像を形成するための画像データを生成してこれを、ＭＩＣ６０を介してプリンタ機７０や後処理機４０に送信する。
【００１８】
なお、本実施の形態では、ＤＦＥ５０とホスト装置４９とは、別々のＰＣ、すなわち別体として構成される場合を説明するが、ＤＦＥ５０及びホスト装置４９の双方の機能を有する１つのＰＣ等を用いて一体的に構成してもよい。
【００１９】
プリンタ機７０には、ＣＭＹＫの各トナーとクリアトナーとが少なくとも搭載されており、各トナーに対して感光体、帯電器、現像器及び感光体クリーナを含む作像ユニット、及び露光器等が搭載されている。
【００２０】
ここで、クリアトナーとは、色材を含まない透明な（無色の）トナーである。なお、透明（無色）とは、例えば、透過率が７０％以上であることを示す。
【００２１】
プリンタ機７０は、ＭＩＣ６０を介してＤＦＥ５０から送信された画像データに応じて、露光器から光ビームを照射して各トナーに応じたトナー像を感光体上に形成してこれを記録媒体に転写する。そして、図示を省略する定着機によって所定の範囲内の温度（通常温度）での加熱加圧でこれを定着させる。これによって記録媒体に画像が形成される。このようなプリンタ機７０の構成については周知であるため、ここではその詳細な説明を省略する。
【００２２】
グロッサー８０は、ＤＦＥ５０によりオン又はオフが制御され、オンにされた場合に、プリンタ機７０により記録媒体に形成されたトナー像を高温及び高圧で加圧する。これにより記録媒体に形成されたトナー像全体において所定以上のトナーが付着した各画素のトナーの総付着量は均一に圧縮される。従って、グロッサー８０は、プリンタ機７０が形成した記録媒体上の該トナー像を該記録媒体に再定着し、該記録媒体上の該トナー像の表面の平滑度をより向上させることで該トナー像の光沢度を高めることができる。
【００２３】
後処理機９０Ａには、クリアトナー及び当該クリアトナーを定着させるための定着機が搭載されており、ＤＦＥ５０が生成した後述のクリアトナー版データが入力される。後処理機９０Ａは、入力されたクリアトナー版データを用いてクリアトナーによるトナー像を形成して、これを該定着機によって通常温度による加熱または加圧で記録媒体に定着させる。
【００２４】
後処理機９０Ｂには、クリアトナー及び当該クリアトナーを定着させるための定着機が搭載されており、ＤＦＥ５０が生成した後述のクリアトナー版データが入力される。後処理機９０Ｂは、入力されたクリアトナー版データを用いてクリアトナーによるトナー像を形成して、グロッサー８０が加圧した記録媒体上に当該トナー像を重ねて、定着機によって通常温度よりも低い加熱または加圧で記録媒体に定着させる。
【００２５】
ここで、ホスト装置４９からＤＦＥ５０に入力される画像データ（原稿データ）について概要を説明する。ホスト装置４９では、予めインストールされた画像処理アプリケーションにより画像データが生成されて、ＤＦＥ５０に送信される。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
本実施の形態では、この特色としてのクリアトナーを、転写紙に付与する視覚的または触覚的な効果である表面効果を形成するため、および、転写紙に、上記表面効果以外のウォーターマークやテクスチャ等の透明画像を形成するために用いる。
【００２６】
このため、ホスト装置１０の画像処理アプリケーションは、入力された画像データに対して、有色版データの他、特色版の画像データとして、ユーザの指定により、光沢制御版データおよび／またはクリア版データとを生成する。
【００２７】
ここで、有色版データとは、画素毎にＲＧＢやＣＭＹＫ等の有色の濃度値を規定した画像データである。この有色版データでは、ユーザによる色の指定により、１画素を８ビットで表現される。図２は、有色版データの一例を示す説明図である。図２において、「Ａ」、「Ｂ」、「Ｃ」等の描画オブジェクトごとにユーザが画像処理アプリケーションで指定した色に対応する濃度値が付与される。
【００２８】
また、光沢制御版データとは、転写紙に付与する視覚的または触覚的な効果である表面効果に応じたクリアトナーを付着させる制御を行うため、当該表面効果の与えられる領域および当該表面効果の種類を特定した画像データである。
【００２９】
この光沢制御版データは、ＲＧＢ版やＣＭＹＫ版と同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版データによって、表面効果の種類と、表面効果を与える領域とが表される（領域を表すデータを別途付与してもよい）。
【００３０】
ここで、ホスト装置４９は、ユーザが画像処理アプリケーションにより指定した描画オブジェクトに対する表面効果の種類を、描画オブジェクトごとに光沢制御値としての濃度値として設定してベクター形式の光沢制御版データを生成する。
【００３１】
なお、有色画像版の画像データ、光沢制御版データ、及びクリア版データは、共にページ単位で構成される。
【００３２】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００３３】
鏡面光沢やベタ光沢は、光沢を与える度合いが高く、逆に、網点マットやつや消しは、光沢を抑えるためのものであり、特に、つや消しは、通常の記録媒体が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。なお、処理対象の画像データによって表される画像のどの領域に表面効果を与えるのかや、その領域にどの種類の表面効果を与えるのか、については、画像処理アプリケーションを介してユーザにより指定される。画像処理アプリケーションを実行するホスト装置４９では、ユーザにより指定された領域を構成する画素について、ユーザ指定の表面効果に対応する濃度値がセットされることにより、光沢制御版データが生成される。濃度値と表面効果の種類との対応関係については後述する。
【００３４】
図４−１は、光沢制御版データの一例を示す説明図である。図４−１の光沢制御版データの例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図１０参照）で、表面効果の種類に対応して定められた濃度値である。
【００３５】
クリア版データとは、上記表面効果以外のウォーターマークやテクスチャ等の透明画像を特定した画像データである。図４−２は、クリア版データの一例を示す説明図である。図４−２の例では、ユーザにより、ウォーターマーク「Ｓａｌｅ」が指定されている。
【００３６】
このように、特色版の画像データである、光沢制御版データおよびクリア版データは、ホスト装置１０の画像処理アプリケーションにより、有色版データとは別のプレーンで生成される。また、有色版データ、光沢制御版データ、クリア版データの各画像データの形式には、ＰＤＦ（Ｐｏｒｔａｂｌｅ  Ｄｏｃｕｍｅｎｔ  Ｆｏｒｍａｔ）形式が用いられるが、各版のＰＤＦの画像データを統合して原稿データとして生成される。なお、各版の画像データのデータ形式は、ＰＤＦに限定されるものではなく、任意の形式を用いることができる。
【００３７】
ホスト装置４９では、上記有色版データと、光沢制御版データ及び／またはクリア版データと、を統合した原稿データに、更にジョブコマンドを含む印刷データを生成し、生成した印刷データを、ＤＦＥ５０へ出力する。ジョブコマンドは、例えば、プリンタの設定、集約の設定、両面の設定などをプリンタに対して指定するコマンドである。図５は、印刷データの構成例を概念的に示す模式図である。図５の例では、ジョブコマンドとして、ＪＤＦ（Ｊｏｂ  Ｄｅｆｉｎｉｔｉｏｎ  Ｆｏｒｍａｔ）が用いられているが、これに限られるものではない。例えば、ＪＤＦは、集約の設定として「片面印刷・ステープル有り」を指定するコマンドである。また、印刷データは、ＰｏｓｔＳｃｒｉｐｔのようなページ記述言語（ＰＤＬ）に変換されてもよいし、ＤＦＥ５０が対応していれば、ＰＤＦ形式のままでもよい。
【００３８】
図１に戻り説明を続ける。ＤＦＥ５０は、ホスト装置４９から画像データとしての印刷データを受け付け、後述する各種処理を行った後に、印刷装置３０へ出力する。ＤＦＥ５０の詳細については後述する。
【００３９】
図６には、印刷装置３０の構成を模式的に示した。印刷装置３０は、上記構成（プリンタ機７０、後処理機４０）に加えて更に、記録媒体を搬送する搬送路２０を備えている。なお、プリンタ機７０は、詳細には、電子写真方式の複数の感光体７１Ｂ、感光体７１Ｂ上に形成されたトナー像を転写される転写ベルト７１Ｃ、転写ベルト７１Ｃ上のトナー像を記録媒体に転写する転写装置７１Ｄ、及び記録媒体上のトナー像を該記録媒体に定着させる定着装置７１Ａを備える。また、後処理機９０Ａは、電子写真方式の感光体９１Ａ及び感光体９１Ａから転写されたトナー像を記録媒体に定着させる定着装置９１Ｂを備える。後処理機９０Ｂは、電子写真方式の感光体９２Ａ及び感光体９２Ａから転写されたトナー像を記録媒体に定着させる定着装置９２Ｂを備える。記録媒体は、図示を省略する搬送部材によって搬送路２０を搬送されることで、プリンタ機７０、グロッサー８０、後処理機９０Ａ、及び後処理機９０Ｂの設けられている位置を、この順に搬送される。そして、これらの機器によって順次処理が行われて画像形成及び表面効果が付与された後に、図示を省略する搬送機構によって搬送路２０を搬送されて、印刷装置３０の外部へと排出される。
【００４０】
次に、ＤＦＥ５０の機能的構成について説明する。ＤＦＥ５０は、図７に例示されるように、レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、表面効果選択テーブル（後述）や設定テーブル（後述）等を記憶した記憶部５６Ｂ等を備えたクリアプロセッシング５６と、ｓｉ３部５７と、装置構成取得部５８と、を有する。レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、クリアプロセッシング５６と、ｓｉ３部５７と、装置構成取得部５８とは、ＤＦＥ５０の制御部が主記憶部や補助記憶部に記憶されている各種プログラムを実行することにより実現されるものである。ｓｉ１部５２、ｓｉ２部５４及びｓｉ３部５７はいずれも、画像データを分離する（ｓｅｐａｔａｔｅ）機能と、画像データを統合する（ｉｎｔｅｇｒａｔｅ）機能とを有するものである。
【００４１】
レンダリングエンジン５１には、ホスト装置４９から送信された画像データが入力される。レンダリングエンジン５１は、入力された画像データを言語解釈して、ベクター形式で表現される画像データをラスタ形式に変換すると共に、ＲＧＢ形式で表現された色空間の場合はＣＭＹＫ形式の色空間に変換して、ＣＭＹＫの各８ビットの有色版データ及び８ビットの光沢制御版データを出力する。ｓｉ１部５２は、ＣＭＹＫの各８ビットの有色版データをＴＲＣ５３に出力し、８ビットの光沢制御版データとクリア版データをクリアプロセッシング５６に出力する。
【００４２】
ＴＲＣ５３には、ｓｉ１部５２を介してＣＭＹＫの各８ビットの有色版データが入力される。ＴＲＣ５３には、入力された有色版データに対してキャリブレーションにより生成された１Ｄ＿ＬＵＴのガンマカーブでガンマ補正を行う。ＴＲＣ５３では他の画像処理として総量規制などがある。総量規制とは、記録媒体上の１画素において、プリンタ機７０でのせることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施例では関連するガンマ補正のみを取り上げて説明している。
【００４３】
ｓｉ２部５４は、ＴＲＣ５３でガンマ補正されたＣＭＹＫの各８ビットの有色版データを、後述するインバースマスクを生成するためのデータとしてクリアプロセッシング５６へ出力する。ハーフトーンエンジン５５には、ｓｉ２部５４を介してガンマ補正後のＣＭＹＫの各８ビットの有色版データが入力される。ハーフトーンエンジン５５は、入力された有色版データをプリンタ機７０に出力するための、例えばＣＭＹＫの各２ビット等の有色版データのデータ形式に変換するハーフトーン処理を行い、ハーフトーン処理後のＣＭＹＫ各２ビット等の有色版データを出力する。なお、２ビットは一例であり、これに限定されるものではない。
【００４４】
装置構成取得部５８は、後処理機４０の装置構成を示す装置構成情報を取得する。上述のように、本実施の形態では、印刷装置３０には、上述のように、後処理機４０として設けられたグロッサー８０、後処理機９０Ａ、後処理機９０Ｂのうちの、いずれか１つ以上が搭載されておらず、且ついずれか１つ以上が搭載されている。この後処理機４０として何が設けられているかを示す情報は、詳細を後述するＭＩＣ６０によって取得されプリンタ機７０を介して装置構成取得部５８に入力される。装置構成取得部５８は、取得した装置構成情報を、クリアプロセッシング５６へ出力する。
【００４５】
クリアプロセッシング５６には、レンダリングエンジン５１が変換した８ビットの光沢制御版データとクリア版データがｓｉ１部５２を介して入力されると共に、ＴＲＣ５３がガンマ補正を行ったＣＭＹＫの各８ビットの有色版データがｓｉ２部５４を介して入力される。クリアプロセッシング５６は、入力された光沢制御版データを用いて、後述の表面効果選択テーブルを参照して、光沢制御版データを構成する各画素の表す濃度値（画素値）に対する表面効果を判断して、当該判断及び後述する設定テーブルに基づいて、グロッサー８０のオン又はオフを決定すると共に、入力されたＣＭＹＫの各８ビットの有色版データを用いてインバースマスクやベタマスクやハーフトーン等を適宜生成することにより、クリアトナーを付着させるための２ビットのクリアトナー版データを適宜生成する。そして、クリアプロセッシング５６は、適宜生成した、プリンタ機７０で用いるクリアトナー版データと、後処理機９０Ａ、９０Ｂで用いるクリアトナー版データとを印刷装置３０へ出力すると共に、グロッサー８０のオン又はオフを示すオンオフ情報を出力する。
【００４６】
ここで、上記インバースマスクとは、表面効果を与える対象の領域を構成する各画素上のＣＭＹＫのトナー及びクリアトナーを合わせた総付着量が均一になるようにするためのものである。具体的には、ＣＭＹＫの有色版データにおいて当該対象の領域を構成する画素の表す濃度値を全て加算し、所定値から引いた画像データがインバースマスクとなる。具体的には、例えば、以下の式１で表される。
【００４７】
Ｃｌｒ＝１００−（Ｃ＋Ｍ＋Ｙ＋Ｋ）  但し、Ｃｌｒ＜０となる場合、Ｃｌｒ＝０・・・(式１)
【００４８】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ、Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。後述するＩＮＶ−１、ＩＮＶ−ｍがこれに相当する。
【００４９】
ベタマスクとは、表面効果を与える対象の領域を構成する各画素上にクリアトナーを均一に付着させるためのものである。具体的には、例えば以下の式２で表される。
【００５０】
Ｃｌｒ＝１００・・・(式２)
【００５１】
なお、表面効果を与える対象の画素の中でも、１００％以外の濃度率が対応付けられるものがあるようにしても良く、ベタマスクのパターンは複数有り得る。
【００５２】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００５３】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【００５４】
要するに、インバースマスクは、上記式１〜式４の何れかの式により表されるものであればよい。
【００５５】
表面効果選択テーブルは、濃度値及び表面効果の種類の対応関係を示すと共に、これらと、画像形成システムの構成に応じた後処理機に関する制御情報と、プリンタ機７０で用いるクリアトナー版データ及び後処理機で用いるクリアトナー版データとの対応関係を示すテーブルである。
【００５６】
なお、後処理機４０に関する制御情報とは、グロッサー８０のオン又はオフを示す情報である。
【００５７】
具体的には、表面効果選択テーブルは、装置構成に応じて、画像形成システムの構成毎に、後処理機４０に関する制御情報（グロッサー８０のオンオフ）、プリンタ機７０で用いるクリアトナー版（クリアトナー版１）、後処理機９０Ａで用いるクリアトナー版（クリアトナー版２）、及び後処理機９０Ｂで用いるクリアトナー版（クリアトナー版３）の少なくとも１つと、濃度値及び表面効果の種類との対応関係を示すように構成され得る。
【００５８】
ここで、上述のように、本実施の形態では、印刷装置３０には、後処理機４０として設けられたグロッサー８０、後処理機９０Ａ、後処理機９０Ｂのうちの、いずれか１つ以上が搭載されておらず、且ついずれか１つ以上が搭載された構成であることを想定している。
【００５９】
このため、本実施の形態では、表面効果選択テーブルとしては、印刷装置３０におけるプリンタ機７０以外の構成として、グロッサー８０、後処理機９０Ａ、及び後処理機９０Ｂの内の少なくとも１つ以上を備え且つ少なくとも１つ以上を備えていない複数種類の構成毎に、表面効果選択テーブルが対応づけられている。
【００６０】
すなわち、例えば、後処理機４０の装置構成を示す装置構成情報が、グロッサー８０と後処理機９０Ｂを示す場合を想定する。この場合には、図８に示すように、印刷装置３０は、後処理機４０として、グロッサー８０及び後処理機９０Ｂのみを搭載した構成となっている。このような構成を示す装置構成情報に対応する表面効果選択テーブルは、後処理機４０に関する制御情報（グロッサー８０のオンオフ）と、プリンタ機７０で用いるクリアトナー版データ、及び後処理機９０Ｂで用いるクリアトナー版データと、濃度値及び表面効果の種類との対応関係を示すように構成される。
【００６１】
また、例えば、後処理機４０の装置構成を示す装置構成情報が、グロッサー８０のみ示す場合を想定する。この場合には、図９に示すように、印刷装置３０は、後処理機４０としてグロッサー８０のみを搭載した構成となっている。このような構成を示す装置構成情報に対応する表面効果選択テーブルは、後処理機４０に関する制御情報（グロッサー８０のオンオフ）と、プリンタ機７０で用いるクリアトナー版データと、濃度値及び表面効果の種類との対応関係を示すように構成される。
【００６２】
これらの表面効果選択テーブルは、装置構成情報に対応づけて、予め記憶部５６Ｂに記憶されている。
【００６３】
図１０には、一例として、プリンタ機７０と、グロッサー８０、後処理機９０Ａ、及び後処理機９０Ｂの全ての後処理機４０を備えたことを示す装置構成情報に対応する、表面効果選択テーブルの一例を示した。
【００６４】
図１０に示す表面効果選択テーブルには、後処理機に関する制御情報（グロッサー８０オンオフ）と、プリンタ機７０で用いるクリアトナー版データ（図１０中、クリアトナー版１参照）と、後処理機９０Ａで用いるクリアトナー版データ（図１０中、クリアトナー版２参照）のクリアトナー版データと、定着機として低温定着機を搭載した後処理機９０Ｂで用いるクリアトナー版データ（図１０中、クリアトナー版３参照）と、濃度値及び表面効果の種類との対応関係が示されている。
【００６５】
なお、同図に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【００６６】
より具体的には、例えば、「２３８」〜「２５５」の画素値に対しては表面効果として鏡面光沢（ＰＭ）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。また、「２１２」〜「２３２」の画素値に対しては、ベタ光沢（Ｇ）が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。また、「２３」〜「４３」の画素値に対しては、網点マット（Ｍ）が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し（ＰＭ）が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機７０や後処理機９０Ａや後処理機９０Ｂで使用するクリアトナー版データを求める式に違いがあり、プリンタ本体や後処理機の動作は同じである。なお、「０」の濃度値には、表面効果を与えないことが対応付けられている。
【００６７】
また、同図には、画素値及び表面効果に対応して、グロッサー８０のオン又はオフを示すオンオフ情報と、プリンタ機７０で用いるクリアトナー版データ、後処理機９０Ａで用いるクリアトナー版データ、及び後処理機９０Ｂで用いるクリアトナー版データとが各々示されている。例えば、表面効果が鏡面光沢である場合、グロッサー８０をオンにすることが示されると共に、プリンタ機７０で用いるクリアトナー版データ（クリアトナー版１）は、インバースマスクを表すものであり、後処理機９０Ａ、９０Ｂで用いるクリアトナー版データ（各々クリアトナー版２、クリアトナー版３）は、ないことが示されている。
【００６８】
なお、当該インバースマスクは、例えば上述した式１により求められるものである。なお、同図に示される例は、表面効果として鏡面効果が指定された領域が、画像データによって規定される領域全体に相当する場合の例である。表面効果として鏡面効果が指定された領域が、画像データによって規定される領域の一部に相当する場合の例については後述する。
【００６９】
また、濃度値が「２２８」〜「２３２」であり表面効果がベタ光沢である場合、グロッサー８０をオフにすることが示されていると共に、プリンタ機７０で用いるクリアトナー版データ（クリアトナー版１参照）の画像データは、インバースマスク１であり、後処理機９０Ａ、９０Ｂで用いるクリアトナー版データ（各々クリアトナー版２、クリアトナー版３）は、ないことが示されている。また、上述のように、後処理機９０Ａで用いるクリアトナー版データは、対応する箇所に示される値となる。
【００７０】
なお、当該インバースマスク１は、上記（式１）〜（式４）の何れかの式により表されるものであればよい。これはグロッサー８０がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサー８０をオフにすることが示されていると共に、プリンタ機７０で用いるクリアトナー版データ（クリアトナー版１参照）は、ないことが示されている。後処理機９０Ａで用いるクリアトナー版データ（クリアトナー版２参照）は、ハーフトーン（網点）を表すものであり、後処理機９０Ｂで用いるクリアトナー版データ（クリアトナー版３参照）は、ないことが示されている。
【００７１】
また、表面効果がつや消しである場合、グロッサー８０をオン又はオフのいずれにしてもよいことが示されていると共に、プリンタ機７０で用いるクリアトナー版データ（クリアトナー版１参照）、及び後処理機９０Ａで用いるクリアトナー版データ（クリアトナー版２参照）は、なく、後処理機９０Ｂで用いるクリアトナー版データ（クリアトナー版３参照）は、ベタマスクを表すものであることが示されている。当該ベタマスクは、例えば上述の式２により求められるものである。
【００７２】
そして、この表面効果選択テーブルは、上述のように、後処理機４０の装置構成を示す装置構成情報に対応して定められている。
【００７３】
図７に戻り（図１も参照）、クリアプロセッシング５６は、ＭＩＣ６０から受け付けた装置構成情報に対応する表面効果選択テーブルを参照して、光沢制御版データによって示される各画素値に対応付けられている表面効果を判断すると共に、グロッサー８０のオン又はオフの設定や、プリンタ機７０、後処理機９０Ｂ、及び後処理機９０Ａで用いるクリアトナー版データを生成する。なお、クリアプロセッシング５６は、グロッサー８０のオン又はオフの設定を１ページ毎に行う。そして、上述したように、クリアプロセッシング５６は、クリアトナー版データを適宜生成してこれを出力すると共に、グロッサー８０に対するオンオフ情報を出力する。
【００７４】
ｓｉ３部５７は、ハーフトーン処理後のＣＭＹＫの各２ビットの有色版データと、クリアプロセッシング５６が生成した２ビットのクリアトナー版データとを統合し、統合した画像データをＭＩＣ６０に出力する。なお、クリアプロセッシング５６は、プリンタ機７０で用いるクリアトナー版データ及び後処理機９０Ａ、９０Ｂで用いるクリアトナー版データのうち少なくとも一版を生成しない場合があるので、クリアプロセッシング５６が生成した方のクリアトナー版データがｓｉ３部５７で統合され、両方のクリアトナー版データをクリアプロセッシング５６が生成していない場合には、ｓｉ３部５７からはＣＭＹＫの各２ビットの有色版データが統合された画像データが出力される。この結果、ＤＦＥ５０からは各々２ビットの最大７版の画像データがＭＩＣ６０へ送り出されることになる。また、ｓｉ３部５７は、クリアプロセッシング５６が出力したグロッサー８０に対するオンオフ情報もＭＩＣ６０に出力する。
【００７５】
ＭＩＣ６０は、図１１に例示されるように、ＤＦＥ５０から出力された画像データのうちＣＭＹＫの有色版データをプリンタ機７０に出力し、プリンタ機７０で用いるクリアトナー版データ（Ｃｌｒ−１、図１０のクリアトナー版１）がある場合にはこれもプリンタ機７０に出力し、ＤＦＥ５０からグロッサー８０のオンオフが出力された場合には該オンオフ情報を用いて、グロッサー８０をオン又はオフにして、後処理機９０Ａで用いるクリアトナー版データ（Ｃｌｒ−２、図１０のクリアトナー版２）がある場合にはこれを対応する後処理機９０Ａに出力する。後処理機９０Ｂで用いるクリアトナー版データ（Ｃｌｒ−３、図１０のクリアトナー版３）がある場合にはこれを対応する後処理機９０Ｂに出力する。グロッサー８０はオンオフ情報によって定着を行う経路と行わない経路とを切り替えてもよい。後処理機９０Ａ及び後処理機９０Ｂは、各々、クリアトナー版データの有無によって接離動作の切り替えやグロッサー８０と同様の経路の切り替えをしてもよい。ここで、接離動作について後処理機９０Ａの場合の例を簡単に説明する。クリアトナー版データ（Ｃｌｒ−２、図１０のクリアトナー版２）があるとき、感光体９１Ａ及び定着機９１Ｂは用紙に接触し、画像を形成する。クリアトナー版データがあるとき、感光体９１Ａ及び定着機９１Ｂは用紙から離れ、画像の形成は行なわない。これにより、感光体９１Ａ及び定着機９１Ｂの消耗を低減することができる。
【００７６】
また、ＭＩＣ６０は、後処理機４０として搭載されている装置構成を示す装置構成情報をＤＥＦ５０に出力する。
【００７７】
次に、表面効果として鏡面効果が指定された領域が、画像データによって規定される領域全体に相当する場合について、本実施の形態に係る画像形成システムが行う光沢制御処理の手順を説明する。ＤＦＥ５０は、ホスト装置４９から画像データを受信すると、これを言語解釈して、ベクター形式で表現される画像データをラスタ形式に変換すると共に、例えば、ＲＧＢ形式で表現された色空間をＣＭＹＫ形式の色空間に変換して、ＣＭＹＫの各８ビットの有色版データ及び８ビットの光沢制御版データを得る。そして、ＤＦＥ５０は、ＣＭＹＫの各８ビットの有色版データに対してキャリブレーションにより生成された１Ｄ＿ＬＵＴのガンマカーブでガンマ補正を行い、ガンマ補正後の有色版データに対して、プリンタ機７０に出力するためのＣＭＹＫ各２ビットの有色版データのデータ形式に変換するハーフトーン処理を行い、ハーフトーン処理後のＣＭＹＫの各２ビットの有色版データを得る。また、ＤＦＥ５０は、８ビットの光沢制御版データを用いて、表面効果選択テーブルを参照して、光沢制御版データによって示される各画素値に対して指定された表面効果を判断する。ＤＦＥ５０は、光沢制御版データを構成する全ての画素について、このような判断を行う。なお、光沢制御版データにおいては、各表面効果を与える領域を構成する全ての画素について基本的に同一の範囲の濃度値を表す。このため、同一の表面効果であると判断した近傍の画素については、ＤＦＥ５０は、同一の表面効果を与える領域に含まれるものとして判断する。このようにして、ＤＦＥ５０は、表面効果を与える領域と、当該領域に対して与える表面効果の種類とを判断する。そして、ＤＦＥ５０は、当該判断に応じて、グロッサー８０のオン又はオフを決定すると共に、ガンマ補正後のＣＭＹＫの各８ビットの有色版データを適宜用いて、クリアトナーを付着させるための２ビットのクリアトナー版データを適宜生成する。そして、ＤＦＥ５０は、ハーフトーン処理後のＣＭＹＫの各２ビットの有色版データと、適宜生成した２ビットのクリアトナー版データとを統合し、統合した画像データと、決定したグロッサー８０のオン又はオフを示すオンオフ情報とをＭＩＣ６０に対して出力する。
【００７８】
ここで、表面効果の種類に応じて具体例について説明する。ここでは、光沢を与えるための鏡面光沢及びベタ光沢と、光沢を抑えるための網点マット及びつや消しとの各種類について具体的に説明する。また、ここでは、１ページ内で同一種類の表面効果が指定された場合について説明する。ＤＦＥ５０のクリアプロセッシング５６は、８ビットの光沢制御版データの各画素の表す濃度値を用いて、装置構成情報に対応する表面効果選択テーブル（例えば、図１０参照）を参照して、濃度値が「２３８」〜「２５５」である画素に対して指定された表面効果は、鏡面光沢であると判断する。この場合、更に、ＤＦＥ５０のクリアプロセッシング５６は、表面効果として鏡面光沢が指定された領域が、画像データによって規定される領域全体に相当するか否かを判断する。当該判断結果が肯定的である場合、ＤＦＥ５０のクリアプロセッシング５６は、ガンマ補正後のＣＭＹＫの各８ビットの有色版データにおいて当該領域に対応する画像データを用いて、例えば式１によりインバースマスクを生成する。当該インバースマスクを表すものが、プリンタ機７０で用いるクリアトナー版データ（図１０のクリアトナー版１）となる。なお、当該領域に対して後処理機９０Ａ、９０Ｂでは、クリアトナー版データを用いないため、ＤＦＥ５０のクリアプロセッシング５６は、後処理機９０Ａ、９０Ｂで用いるクリアトナー版データを生成しない。
【００７９】
そして、ＤＦＥ５０のｓｉ３部５７は、プリンタ機７０で用いるクリアトナー版データと、ハーフトーン処理後のＣＭＹＫの各２ビットの有色版データと統合し、統合した画像データと、グロッサー８０のオンを示すオンオフ情報とをＭＩＣ６０に出力する。ＭＩＣ６０は、ＤＦＥ５０から出力された画像データであるＣＭＹＫの有色版データ及びプリンタ機７０で用いるクリアトナー版データをプリンタ機７０に出力し、ＤＦＥ５０から出力されたオンオフ情報を用いて、グロッサー８０をオンにする。プリンタ機７０は、ＭＩＣ６０から出力されたＣＭＹＫの有色版データ及びクリアトナー版データを用いて、露光器から光ビームを照射して各トナーに応じたトナー像を感光体上に形成してこれを記録媒体に転写しこれを通常温度での加熱及び加圧により定着させる。これによって記録媒体に、ＣＭＹＫのトナーの他クリアトナーが付着されて、画像が形成される。その後、グロッサー８０が当該記録媒体を再定着する。後処理機９０Ａ及び後処理機９０Ｂに対してはクリアトナー版データは出力されていないため、後処理機９０Ａ及び後処理機９０Ｂでは、クリアトナーが付着及び定着されずに、当該記録媒体が排紙される。この結果、画像データによって規定された領域全体でＣＭＹＫの各トナー及びクリアトナーの総付着量が均一に圧縮されているため、当該領域の表面から強い光沢が得られる。
【００８０】
一方、表面効果として鏡面光沢が指定された領域が、画像データによって規定される領域の一部に相当する場合は次のような事態がおこりうる。まず、鏡面光沢が指定された領域には、上述したインバースマスクを表すクリアトナー版データが用いられる。しかし、それ以外の全ての画素に対してＣＭＹＫトナーの総付着値が所定以上セットされていた場合には、グロッサー８０で加圧されると、結果的に、鏡面光沢が指定された領域とＣＭＹＫトナーの総付着値が所定以上セットされている領域のＣＭＹＫの各トナー及びクリアトナーの総付着量が均一になってしまう。
【００８１】
このため、表面効果として鏡面光沢が指定された領域が、画像データによって規定される領域の一部に相当する場合、ＤＦＥ５０は、画像データによって規定される領域全体に対して鏡面光沢が指定されたのと同じクリアトナー版データを生成し、プリンタ機７０によって記録媒体にクリアトナーが付着、定着された後、グロッサー８０で再定着する。次に、グロッサー８０で再定着された記録媒体に対して表面効果として鏡面効果が指定された領域以外の領域に対してつや消しの表面効果を与えるべく、後処理機９０Ｂで用いるクリアトナー版データを生成する。
【００８２】
具体的には、ＤＦＥ５０は、上述と同様にして式１によるインバースマスクを、プリンタ機７０で用いるクリアトナー版データとして生成する。更に、ＤＦＥ５０は、表面効果として鏡面効果が指定された領域以外の領域に対して式２によってベタマスクを、後処理機９０Ｂで用いるクリアトナー版データとして生成する。そして、ＤＦＥ５０のｓｉ３部５７は、プリンタ機７０で用いるクリアトナー版データ及び後処理機９０Ｂで用いるクリアトナー版データと、ハーフトーン処理後のＣＭＹＫの各２ビットの有色版データと統合し、統合した画像データと、グロッサー８０のオンを示すオンオフ情報とをＭＩＣ６０に出力する。
【００８３】
ＭＩＣ６０は、ＤＦＥ５０から出力された画像データのうちＣＭＹＫの有色版データ及びプリンタ機７０で用いるクリアトナー版データをプリンタ機７０に出力し、ＤＦＥ５０から出力されたオンオフ情報を用いて、グロッサー８０をオンにし、ＤＦＥ５０から出力された画像データのうち後処理機９０Ｂで用いるクリアトナー版データを後処理機９０Ｂに出力する。プリンタ機７０は、ＭＩＣ６０から出力されたＣＭＹＫの有色版データ及びクリアトナー版データを用いて、記録媒体に、ＣＭＹＫのトナー及びクリアトナーを付着させた画像を形成する。その後、グロッサー８０が当該記録媒体を再定着する。後処理機９０Ｂは、ＭＩＣ６０から出力されたクリアトナー版データを用いてクリアトナーによるトナー像を形成して、グロッサー８０を通過した記録媒体上に当該トナー像を重ねて、低温での加熱及び加圧により記録媒体に定着させる。この結果、鏡面光沢が指定された領域では、ＣＭＹＫの各トナー及びクリアトナーの総付着量が均一に圧縮されているため、当該領域の表面から強い光沢が得られる。一方、鏡面光沢が指定された領域以外では、グロッサー８０での再定着後にベタマスクによるクリアトナーの付着によって表面の凹凸が生じて、当該領域の表面の光沢が抑えられる。
【００８４】
また、ＤＦＥ５０のクリアプロセッシング５６は、８ビットの光沢制御版データの各画素の表す濃度値を用いて表面効果選択テーブルを参照して、濃度値が「２１２」〜「２３２」である画素に対して指定された表面効果は、ベタ光沢であると判断し、特に、濃度値が「２２８」〜「２３２」である画素に対しては、ベタ光沢タイプ１であると判断する。この場合、ＤＦＥ５０のクリアプロセッシング５６は、ガンマ補正後のＣＭＹＫの各８ビットの有色版データにおいて当該領域に対応する画像データを用いて、インバースマスク１を生成する。当該インバースマスク１を表すものが、プリンタ機７０で用いるクリアトナー版データとなる。なお、当該領域に対して後処理機９０Ｂではクリアトナー版データを用いないため、ＤＦＥ５０は、後処理機９０Ｂで用いるクリアトナー版データを生成しない。そして、ＤＦＥ５０のｓｉ３部５７は、プリンタ機７０で用いるクリアトナー版データと、ハーフトーン処理後のＣＭＹＫの各２ビットの有色版データと統合し、統合した画像データと、グロッサー８０のオフを示すオンオフ情報とをＭＩＣ６０に出力する。ＭＩＣ６０は、ＤＦＥ５０から出力された画像データであるＣＭＹＫの有色版データ及びプリンタ機７０で用いるクリアトナー版データをプリンタ機７０に出力し、ＤＦＥ５０から出力されたオンオフ情報を用いて、グロッサー８０をオフにする。プリンタ機７０は、ＭＩＣ６０から出力されたＣＭＹＫの有色版データ及びプリンタ機７０で用いるクリアトナー版データを用いて、記録媒体に、ＣＭＹＫのトナー及びクリアトナーを付着させた画像を形成する。グロッサー８０はオフにされているため、その後、記録媒体は、再定着されることはない。また、後処理機９０Ｂに対してはクリアトナー版データは出力されていないため、後処理機９０Ｂでは、クリアトナーが付着、定着されずに、当該記録媒体が排紙される。この結果、表面効果としてベタ光沢が指定された領域には、ＣＭＹＫの各トナー及びクリアトナーの総付着量が比較的均一になり、当該領域の表面からやや強い光沢が得られる。
【００８５】
また、ＤＦＥ５０のクリアプロセッシング５６は、８ビットの光沢制御版データの各画素の表す濃度値を用いて表面効果選択テーブルを参照して、濃度値が「２３」〜「４３」である画素に対して指定された表面効果は、網点マットであると判断する。この場合、ＤＦＥ５０のクリアプロセッシング５６は、ハーフトーンを表す画像データを、後処理機９０Ａで用いるクリアトナー版データとして生成する。なお、当該領域に対して、プリンタ機７０と後処理機９０Ｂではクリアトナー版データを用いないため、ＤＦＥ５０は、プリンタ機７０と後処理機９０Ｂで用いるクリアトナー版データを生成しない。そして、ＤＦＥ５０のｓｉ３部５７は、後処理機９０Ａで用いるクリアトナー版データと、ハーフトーン処理後のＣＭＹＫの各２ビットの有色版データと統合し、統合した画像データと、グロッサー８０のオンを示すオンオフ情報とをＭＩＣ６０に出力する。ＭＩＣ６０は、ＤＦＥ５０から出力された画像データであるＣＭＹＫの有色版データ及び後処理機９０Ａで用いるクリアトナー版データを後処理機９０Ａに出力し、ＤＦＥ５０から出力されたオンオフ情報を用いて、グロッサー８０をオフにする。プリンタ機７０は、ＭＩＣ６０から出力されたＣＭＹＫの有色版データ及びクリアトナー版データを用いて、記録媒体に、ＣＭＹＫのトナーを付着させた画像を形成する。グロッサー８０はオフにされているため、その後、記録媒体は、再定着されることない。また、後処理機９０Ｂに対してはクリアトナー版データは出力されていないため、後処理機９０Ｂでは、クリアトナーが付着されずに、当該記録媒体が排紙される。この結果、表面効果として網点マットが指定された領域にはクリアトナーにより網点が付加されることにより、表面の凹凸が生じて、当該領域の表面の光沢がやや抑えられる。
【００８６】
また、ＤＦＥ５０のクリアプロセッシング５６は、８ビットの光沢制御版データの各画素の表す濃度値を用いて表面効果選択テーブルを参照して、濃度値が「１」〜「１７」である画素に対して指定された表面効果は、つや消しであると判断する。この場合、ＤＦＥ５０のクリアプロセッシング５６は、グロッサー８０のオンまたはオフは１ページ内に他の表面効果が指定されている場合（後述）はその設定に従い、オン又はオフのいずれにしても、プリンタ機７０、後処理機９０Ａで用いるクリアトナー版データを生成せず、ベタマスクを、後処理機９０Ｂで用いるクリアトナー版データとして生成する。そして、ＤＦＥ５０のｓｉ３部５７は、後処理機９０Ｂで用いるクリアトナー版データと、ハーフトーン処理後のＣＭＹＫの各２ビットの有色版データを統合し、統合した画像データと、グロッサー８０のオン又はオフを示すオンオフ情報とをＭＩＣ６０に出力する。ＭＩＣ６０は、ＤＦＥ５０から出力された画像データのうちＣＭＹＫの有色版データをプリンタ機７０に出力し、ＤＦＥ５０から出力された画像データのうち後処理機９０Ｂで用いるクリアトナー版データを後処理機９０Ｂに出力する。プリンタ機７０は、ＭＩＣ６０から出力されたＣＭＹＫの有色版データを用いて、記録媒体に、ＣＭＹＫのトナーを付着させた画像を形成する。グロッサー８０がオンにされた場合には、記録媒体は、グロッサー８０で再定着され、グロッサー８０がオフにされた場合には、記録媒体は、再定着されない。後処理機９０Ｂは、ＭＩＣ６０から出力されたクリアトナー版データを用いてクリアトナーによるトナー像を形成して、グロッサー８０を通過した記録媒体上に当該トナー像を重ねて、低温での加熱及び加圧により記録媒体に定着させる。この結果、表面効果としてつや消しが指定された領域には、ベタマスクによるクリアトナーの付着によって表面の凹凸が生じて、当該領域の表面の光沢が抑えられる。
【００８７】
上記では、１ページ内に同一の表面効果が指定された場合について説明したが、１ページ内で異なる種類の表面効果が指定された場合についても、上述した処理で同様に実現可能である。すなわち、１ページ内で複数の表面効果が指定されている場合、光沢制御版データでは、図１０に示す表面効果の種類に対応する各濃度値が、各種類の表面効果を付与する領域内の画素に設定されている。すなわち、光沢制御版データでは、表面効果の種類ごとに、当該表面効果を付与する領域を指定しているため、ＤＦＥ５０では、この光沢制御版データにおいて、同一の濃度値が設定された画素の範囲を、同一の表面効果を付与する領域として判断すればよく、各表面効果を１ページ内で容易に実現することが可能となっている。
【００８８】
ここで、上述のように、本実施の形態では、上述のように、印刷装置３０には、後処理機４０としての、グロッサー８０、後処理機９０Ａ、後処理機９０Ｂのうちの、いずれか１つ以上が搭載されておらず、且ついずれか１つ以上が搭載されている。
【００８９】
このように、後処理機４０のうちの何れか１つ以上が搭載されていない装置構成では、１ページ内で異なる種類の表面効果が指定された場合、後処理機４０の全てが搭載されている場合には実現することの出来た表面効果を実現することができない場合がある。
【００９０】
例えば、グロッサー８０、後処理機９０Ａ、及び後処理機９０Ｂのうちの後処理機９０Ａを備えない構成である場合には（図８に示す装置構成参照）、グロッサー８０をオンにし、プリンタ機７０でＣＭＹＫトナーと、プリンタ機７０用のクリアトナー版データに応じたクリアトナーと、を記録媒体に転写した後、グロッサー８０で高温高圧でプレスすることによって、鏡面光沢（ＰＧ）を実現することができる。また、グロッサー８０より記録媒体の搬送方向下流側に設けられた後処理機９０Ｂで用いるクリアトナー版データによって、つや消し（ＰＭ）を実現することができる。しかし、グロッサー８０がオンの場合、図８に示す構成では、グロッサー８０の後に通常定着としての後処理機９０Ａが搭載されていないので、該設定によって鏡面光沢（ＰＧ）及びつや消し（ＰＭ）を実現した同じ記録媒体に、ベタ光沢（Ｇ）と網点マット（Ｍ）の表面効果を実現することが出来ない。
【００９１】
また、後処理機４０のうちの後処理機９０Ａ及び後処理機９０Ｂの双方を備えない構成である場合には（図９に示す装置構成参照）、プリンタ機７０の後段にグロッサー８０のみが搭載された構成であるため、グロッサー８０がオンの場合、鏡面光沢（ＰＧ）は実現できるが、同一記録媒体上にベタ光沢（Ｇ）、網点マット（Ｍ）、つや消し（ＰＭ）の表面効果は実現出来ない。
【００９２】
このように、後処理機４０としての、グロッサー８０、後処理機９０Ａ、および後処理機９０Ｂのうち、何れか１つ以上が搭載されていない装置構成では、１ページ内で異なる種類の表面効果が指定された場合、後処理機４０の装置構成によって、実現できない表面効果が発生する場合があった。
【００９３】
そこで、本実施の形態では、ＤＥＦ５０は、１ページ内で異なる種類の表面効果が指定され、且つ後処理機４０の一部が搭載されていない場合には、該一部の後処理機４０が搭載されていないことによって実現することの困難な表面効果を、該装置構成の印刷装置３０で実現可能な表面効果に置き換える。
【００９４】
上記図７に戻り、このため、本実施の形態のクリアプロセッシング５６は、表面効果種類判別部５６Ｄ、置換部５６Ａ、及び記憶部５６Ｂを備えている。なお、クリアプロセッシング５６には、後処理機４０の装置構成を示す装置構成情報が装置構成取得部５８から入力される。
【００９５】
表面効果種類判別部５６Ｄは、ｓｉ１部５２から入力された光沢制御版データを用いて、表面効果選択テーブルを参照して、光沢制御版データを構成する各画素の表す濃度値（画素値）に対する表面効果を判別する。すなわち、表面効果種類判別部５６Ｄは、光沢制御版データ及び表面効果選択テーブルを用いて、ユーザ指定の表面効果（ユーザにより指定された各領域（画素）毎の表面効果）の種類を判別する。そして、判別結果を置換部５６Ａへ出力する。
【００９６】
記憶部５６Ｂは、表面効果選択テーブルや、設定テーブル（詳細後述）等を記憶する。なお、これらの表面効果選択テーブルや設定テーブルは、後処理機４０の装置構成毎に対応して（すなわち、装置構成情報に対応づけて）記憶されている。なお、装置構成情報とは、印刷装置３０に後処理機４０として搭載されている装置の種類を示す情報である。例えば、印刷装置３０に後処理機４０として搭載されている装置がグロッサー８０のみである場合には、該装置構成情報は、グロッサー８０を示す情報となる。
【００９７】
設定テーブルは、詳細は後述するが、１ページ内で異なる種類の表面効果が指定された場合において、装置構成に応じて（具体的には、搭載されている後処理機４０の種類及び組み合わせに応じて）、ユーザ指定の表面効果のうちの、装置構成によって実現困難な種類の表面効果を実現可能な種類の表面効果に置き換えるための設定内容を格納したものである。この設定内容とは、グロッサー８０のオンオフの設定や、後処理機９０Ａや後処理機９０Ｂで用いるクリアトナー版データを示している。
【００９８】
置換部５６Ａは、表面効果種類判別部５６Ｄから受け付けた、ユーザ指定の表面効果の種類を、装置構成取得部５８から取得した装置構成情報に対応する設定テーブルに基づいて、印刷装置３０で実現可能な表面効果の種類に置き換える。具体的には、この装置構成情報に対応する設定テーブルに基づいた光沢制御処理（後述）を行うことによって、置換部５６Ａは、印刷装置３０で実現可能な種類の表面効果が得られるように、グロッサー８０のオンオフを設定する。また、置換部５６Ａは、この装置構成情報に対応する設定テーブルに基づいてクリアトナー版データを生成することによって、印刷装置３０で実現可能な種類の表面効果が得られるように、プリンタ機７０及び搭載された後処理機９０Ａ及び後処理機９０Ｂの少なくとも一方で用いるクリアトナー版データを生成する。
【００９９】
このように、置換部５６Ａは、装置構成情報に対応する設定テーブルに基づいて、グロッサー８０のオンオフの設定や、クリアトナー版データの生成を行うことによって、ユーザ指定の表面効果の種類を、印刷装置３０で実現可能な表面効果の種類に置き換える。このため、本実施の形態では、この置換部５６Ａによる処理を、置換処理またはクリアトナー版生成処理と称する場合がある。
【０１００】
そして、置換部５６Ａは、プリンタ機７０で用いるクリアトナー版データと、後処理機４０として搭載されている装置（後処理機９０Ａ、及び後処理機９０Ｂの少なくとも１つ）で用いるクリアトナー版データや、グロッサー８０のオンオフを示す情報等を、印刷装置３０へ出力する。
【０１０１】
なお、表面効果種類判別部５６Ｄによる判別処理、及び置換部５６Ａによる置換処理は、１ページごとに行う。このため、クリアプロセッシング５６は、１ページごとに、クリアトナー版データを適宜生成してこれを印刷装置３０へ出力すると共に、必要に応じて（グロッサー８０が搭載されている場合には）グロッサー８０に対するオンオフ情報を印刷装置３０へ出力する。
【０１０２】
次に、設定テーブルについて説明する。
【０１０３】
設定テーブルは、１ページ内で異なる種類の表面効果が指定された場合において、装置構成に応じて（具体的には、搭載されている後処理機４０の種類及び組み合わせに応じて）、ユーザ指定の表面効果のうちの、装置構成によって実現困難な種類の表面効果を実現可能な種類の表面効果に置き換えるための設定内容を格納している。この設定テーブルは、上述のように、後処理機４０の装置構成を示す装置構成情報に対応づけて、記憶部５６Ｂに記憶されている。
【０１０４】
より具体的には、設定テーブルは、ユーザ指定の表面効果の種類と、実際に得られる表面効果の種類と、上記設定内容と、を対応づけて格納している。この設定内容とは、具体的には、プリンタ機７０で用いるクリアトナー版データ、後処理機９０Ａで用いるクリアトナー版データ、後処理機９０Ｂで用いるクリアトナー版データ、及びグロッサー８０のオンオフを示すオンオフ情報である。
【０１０５】
なお、設定テーブルは、上述のように、装置構成情報に対応づけて記憶されており、設定テーブルには、装置構成情報に対応する上記設定内容が格納されている。すなわち、設定テーブルに格納される設定内容は、装置構成情報に応じて、後処理機９０Ａで用いるクリアトナー版データ、後処理機９０Ｂで用いるクリアトナー版データ、及びグロッサー８０のオンオフを示すオンオフ情報のうちの、少なくとも１つを有し且つ少なくとも１つを有さない。
【０１０６】
本実施の形態では、記憶部５６Ｂは、装置構成情報に対応する設定テーブルとして、後処理機４０（グロッサー８０、後処理機９０Ａ、後処理機９０Ｂ）が全て搭載されている装置構成を示す装置構成情報と、後処理機４０の内の、後処理機９０Ａが搭載されていない装置構成を示す装置構成情報と、後処理機４０の内の後処理機９０Ａ及び後処理機９０Ｂが搭載されていない装置構成を示す装置構成情報と、の各々に対応する設定テーブルを記憶する。
【０１０７】
図１２には、一例として後処理機４０（グロッサー８０、後処理機９０Ａ、後処理機９０Ｂ）が全て搭載されている装置構成に対する設定テーブルを示した。また、同図は同一記録媒体上にＰＧ（鏡面光沢）、Ｇ（ベタ光沢）、Ｍ（網点マット）、ＰＭ（つや消し) を実現するためのクリアトナー版データである。同一紙面上ではグロッサー８０はオンまたはオフのいずれか一方しか設定できないが、同図は、グロッサー８０はオンの図例である。
【０１０８】
詳細には、図１２に示す設定テーブルには、光沢制御版データによって判別されたユーザ指定の表面効果がＰＧ（鏡面光沢）であると判別された領域についてはＰＧ（鏡面光沢）を実現するための設定内容として、プリンタ機７０で用いるクリアトナー版データを“ＩＮＶ−１”（図１０のインバースマスクＡ、Ｂ、Ｃのいずれかが該当する）とし、グロッサー８０をオンにし、後処理機９０Ａ及び後処理機９０Ｂで用いるクリアトナー版データを“ｎｏ  ｄａｔａ”（データ無し）とすることが示されている。そして、この設定とすることによって、ユーザ指定の表面効果であるＰＧ（鏡面光沢）に対して、該構成の印刷装置３０において、ＰＧ（鏡面光沢）が得られることが示されている。
【０１０９】
また、図１２に示す設定テーブルには、光沢制御版データによって判別されたユーザ指定の表面効果がＧ（ベタ光沢）であると判別された領域についてはＧ（ベタ光沢）を実現するための設定内容が示されている。該設定内容としては、図１２に示すように、ユーザ指定の表面効果がＧ（ベタ光沢）である領域については、プリンタ機７０で用いるクリアトナー版データを“ＩＮＶ−ｍ” （図１０のインバースマスク１から４のいずれかが該当する）とし、グロッサー８０をオンにし、後処理機９０Ａで用いるクリアトナー版データを“ベタ”とし、後処理機９０Ｂで用いるクリアトナー版データを“ｎｏ  ｄａｔａ”（データ無し）とすることが示されている。そして、この設定とすることによって、ユーザ指定の表面効果であるＧ（ベタ光沢）に対して、該構成の印刷装置３０において、Ｇ（ベタ光沢）が得られることが示されている。
【０１１０】
また、図１２に示す設定テーブルには、光沢制御版データによって判別されたユーザ指定の表面効果がＭ（網点マット）であると判別された領域についてはＭ（網点マット）を実現するための設定内容が示されている。該設定内容としては、図１２に示すように、ユーザ指定の表面効果がＭ（網点マット）である領域については、プリンタ機７０で用いるクリアトナー版データを“ｎｏ  ｄａｔａ”（データ無し）とし、グロッサー８０をオンにし、後処理機９０Ａで用いるクリアトナー版データを“ｈａｌｆｔｏｎｅ−ｎ”とし、後処理機９０Ｂで用いるクリアトナー版データを“ｎｏ  ｄａｔａ”（データ無し）とすることが示されている。そして、この設定とすることによって、ユーザ指定の表面効果であるＭ（網点マット）に対して、該構成の印刷装置３０において、Ｍ（網点マット）が得られることが示されている。
【０１１１】
また、図１２に示す設定テーブルには、光沢制御版データによって判別されたユーザ指定の表面効果がＰＭ（つや消し）であると判別された領域についてはＰＭ（つや消し）を実現するための設定内容が示されている。該設定内容としては、図１２に示すように、ユーザ指定の表面効果がＰＭ（つや消し）である領域については、プリンタ機７０で用いるクリアトナー版データを“ｎｏ  ｄａｔａ”（データ無し）とし、グロッサー８０をオンにし、後処理機９０Ａで用いるクリアトナー版データを“ｎｏ  ｄａｔａ”（データ無し）とし、後処理機９０Ｂで用いるクリアトナー版データを“ベタ”とすることが示されている。そして、この設定とすることによって、ユーザ指定の表面効果であるＰＭ（つや消し）に対して、該構成の印刷装置３０において、ＰＭ（つや消し）が得られることが示されている。
【０１１２】
図１３には、一例として、後処理機４０（グロッサー８０、後処理機９０Ａ、後処理機９０Ｂ）のうちの、後処理機９０Ａが搭載されていない装置構成を示す装置構成情報に対応する設定テーブルを示した。
【０１１３】
図１３に示す設定テーブルには、光沢制御版データによって判別されたユーザ指定の表面効果がＧ（ベタ光沢）であると判別された領域についてはＰＧ（鏡面光沢）に置き換え、ユーザ指定の表面効果がＭ（網点マット）であると判別された領域についてはＰＭ（つや消し）に表面効果の種類を置き換えることが示されている。そして、その他の表面効果（ＰＧ及びＰＭ）については、ユーザ指定の表面効果のままとすることが示されている。
【０１１４】
また、図１３に示すクリアトナー版データの設定テーブルには、上記表面効果を実現するための設定内容として、グロッサー８０をオンにすることを示す情報、及び各ユーザ指定の表面効果に対応する、プリンタ機７０及び後処理機９０Ｂの各々で用いるクリアトナー版データが示されている。
【０１１５】
具体的には、図１３に示す設定テーブルには、ユーザ指定の表面効果がＰＧ（鏡面光沢）である領域については、ＰＧ（鏡面光沢）を実現するための設定内容が示されている。該設定内容としては、図１３に示すように、ユーザ指定の表面効果がＰＧ（鏡面光沢）である領域については、プリンタ機７０で用いるクリアトナー版データを“ＩＮＶ−１”（図１０のインバースマスクＡ、Ｂ、Ｃのいずれかが該当する）とし、グロッサー８０をオンにし、後処理機９０Ｂで用いるクリアトナー版データを“ｎｏ  ｄａｔａ”（データ無し）とすることが示されている。そして、この設定とすることによって、ユーザ指定の表面効果であるＰＧ（鏡面光沢）に対して、該構成（後処理機９０Ａを備えない構成）の印刷装置３０において、ＰＧ（鏡面光沢）が得られることが示されている。
【０１１６】
また、図１３に示す設定テーブルは、ユーザ指定の表面効果がＧ（ベタ光沢）である領域については、該設定テーブルに対応する装置構成では実現できないＧ（ベタ光沢）に替えて、該装置構成で実現可能なＰＧ（鏡面光沢）を実現するための設定内容が示されている。該設定内容としては、図１３に示すように、ユーザ指定の表面効果がＧ（ベタ光沢）である領域については、プリンタ機７０で用いるクリアトナー版データを“ＩＮＶ−ｍ” （図１０のインバースマスク１から４のいずれかが該当する）とし、グロッサー８０をオンにし、後処理機９０Ｂで用いるクリアトナー版データを“ｎｏ  ｄａｔａ”（データ無し）とすることが示されている。そして、この設定とすることによって、ユーザ指定の表面効果であるＧ（ベタ光沢）に対して、該表面効果Ｇを、実現可能なＰＧ（鏡面光沢）に置き換えることが示されている。
【０１１７】
同様に、図１３に示す設定テーブルは、ユーザ指定の表面効果がＭ(網点マット)である領域については、該設定テーブルに対応する装置構成では実現できないＭ（網点マット）に替えて、該装置構成で実現可能なＰＭ（つや消し）を実現するための設定内容が示されている。該設定内容としては、図１３に示すように、ユーザ指定の表面効果がＭ（網点マット）である領域については、プリンタ機７０で用いるクリアトナー版データを“ｎｏ  ｄａｔａ”（データ無し）とし、グロッサー８０をオンにし、後処理機９０Ｂで用いるクリアトナー版データを“ベタ”とすることが示されている。そして、このように設定することによって、ユーザ指定の表面効果であるＭ（網点マット）に対して、該表面効果Ｍを、該装置構成で実現可能なＰＭ（つや消し）に置き換えることが示されている。
【０１１８】
そして、さらに、図１３に示す設定テーブルは、ユーザ指定の表面効果がＰＭ（つや消し）である領域については、プリンタ機７０で用いるクリアトナー版データを“ｎｏ  ｄａｔａ”（データ無し）とし、グロッサー８０をオンにし、後処理機９０Ｂで用いるクリアトナー版データを“ベタ”とすることが示されている。そして、このように設定することによって、ユーザ指定の表面効果であるＰＭ（つや消し）に対して、該構成（後処理機９０Ａを備えない構成）の印刷装置３０において、表面効果ＰＭが得られることが示されている。
【０１１９】
図１４には、一例として、後処理機４０（グロッサー８０、後処理機９０Ａ、後処理機９０Ｂ）のうちの、後処理機９０Ａ及び後処理機９０Ｂが搭載されていない装置構成を示す装置構成情報に対応する設定テーブルを示した。
【０１２０】
図１４に示す設定テーブルには、光沢制御版データによって判別されたユーザ指定の表面効果がＰＧ（鏡面光沢）と判別された領域については、そのままＰＧとすることが示されている。そして、ユーザ指定の表面効果がＧ（ベタ光沢）であると判別された領域についてはＰＧ（鏡面光沢）に置き換え、ユーザ指定の表面効果がＭ（網点マット）及びＰＭ（つや消し）であると判別された領域についてはＧ（ベタ光沢）に置き換えることが示されている。
【０１２１】
また、図１４に示す設定テーブルには、上記表面効果を実現するための設定内容として、グロッサー８０をオンにすることを示す情報、及び各ユーザ指定の表面効果に対応する、プリンタ機７０で用いるクリアトナー版データが示されている。
【０１２２】
具体的には、図１４に示す設定テーブルには、ユーザ指定の表面効果がＰＧ（鏡面光沢）である領域については、該設定テーブルに対応する装置構成で実現可能なＰＧ（鏡面光沢）を実現するための設定内容が示されている。該設定内容としては、図１４に示すように、ユーザ指定の表面効果がＰＧ（鏡面光沢）である領域については、プリンタ機７０で用いるクリアトナー版データを“ＩＮＶ−１”（図１０のインバースマスクＡ、Ｂ、Ｃのいずれかが該当する）とし、グロッサー８０をオンにすることが示されている。そして、この設定とすることによって、ユーザ指定の表面効果であるＰＧ（鏡面光沢）に対して、該構成（後処理機９０Ａ及び後処理機９０Ｂを備えない構成）の印刷装置３０において、ＰＧ（鏡面光沢）が得られることが示されている。
【０１２３】
また、図１４に示す設定テーブルは、ユーザ指定の表面効果がＧ（ベタ光沢）である領域については、該設定テーブルに対応する装置構成では実現できないＧ（ベタ光沢）に替えて、該装置構成で実現可能なＰＧ（鏡面光沢）を実現するための設定内容が示されている。該設定内容としては、図１４に示すように、ユーザ指定の表面効果がＧ（ベタ光沢）である領域については、プリンタ機７０で用いるクリアトナー版データを“ＩＮＶ−ｍ” （図１０のインバースマスク１から４のいずれかが該当する）とし、グロッサー８０をオンにすることが示されている。そして、この設定とすることによって、ユーザ指定の表面効果であるＧ（ベタ光沢）に対して、該表面効果ＧをＰＧ（鏡面光沢）に置き換えることが示されている。
【０１２４】
同様に、図１４に示す設定テーブルは、ユーザ指定の表面効果がＭ(網点マット)である領域については、該設定テーブルに対応する装置構成では実現できないＭ（網点マット）に替えて、該装置構成で実現可能なＧ（ベタ光沢）を実現するための設定内容が示されている。該設定内容としては、図１４に示すように、ユーザ指定の表面効果がＭ（網点マット）である領域については、プリンタ機７０で用いるクリアトナー版データを“ｎｏ  ｄａｔａ”（データ無し）とし、グロッサー８０をオンすることが示されている。そして、このように設定することによって、ユーザ指定の表面効果であるＭ（網点マット）に対して、該表面効果Ｍを該装置構成で実現可能なＧ（ベタ光沢）に置き換えることが示されている。
【０１２５】
そして、さらに、図１４に示す設定テーブルは、ユーザ指定の表面効果がＰＭ（つや消し）である領域については、該設定テーブルに対応する装置構成では実現できないＰＭ（つや消し）に替えて、該装置構成で実現可能なＧ（ベタ光沢）を実現するための設定内容が示されている。該設定内容としては、図１４に示すように、ユーザ指定の表面効果がＰＭ（つや消し）である領域については、プリンタ機７０で用いるクリアトナー版データを“ｎｏ  ｄａｔａ”（データ無し）とし、グロッサー８０をオンにすることが示されている。そして、このように設定することによって、ユーザ指定の表面効果であるＰＭ（つや消し）に対して、該構成の印刷装置３０において実現可能な表面効果Ｇ（ベタ光沢）が得られることが示されている。
【０１２６】
図１２〜図１４に示すように、後処理機４０の内の何れかが搭載されていない装置構成の場合には、後処理機４０の全てが搭載されている場合とは、異なる設定のなされた設定テーブルが用意される。
【０１２７】
このような、装置構成情報毎に作成された設定テーブルは、記憶部５６Ｂに記憶されている。
【０１２８】
次に、本実施の形態に係る画像形成システムが行う光沢制御処理の手順について図１５を用いて説明する。
【０１２９】
ＤＦＥ５０は、ホスト装置４９から画像データを受信すると（ステップＳ１）、これを言語解釈して、ベクター形式で表現される画像データをラスタ形式に変換すると共に、ＲＧＢ形式等で表現された色空間をＣＭＹＫ形式等の色空間に変換して、ＣＭＹＫの色版の各８ビットの有色版データ及び８ビットの光沢制御版データを得る（ステップＳ２）。そして、ＤＦＥ５０は、ＣＭＹＫの色版の各８ビットの有色版データに対してキャリブレーションにより生成された１Ｄ＿ＬＵＴのガンマカーブでガンマ補正を行い、ガンマ補正後の画像データに対して、プリンタ機７０に出力するための、例えば、ＣＭＹＫ各２ビットの有色版データのデータ形式に変換するハーフトーン処理を行い、ハーフトーン処理後のＣＭＹＫの各２ビットの有色版データを得る（ステップＳ３）。
【０１３０】
次に、クリアプロセッシング５６の装置構成取得部５８が、装置構成取得部５８から装置構成情報を取得する装置構成情報取得処理を実行する（ステップＳ４）。装置構成取得部５８は取得した装置構成情報をクリアプロセッシング５６へ出力する。
【０１３１】
図１６には、ステップＳ４における装置構成情報取得処理を示した。
【０１３２】
まず、初期設定として、グロッサーフラグ、後処理機９０Ａフラグ、後処理機９０Ｂフラグを全てオフにする（ステップＳ１００）。装置構成取得部５８は、ＭＩＣ６０に、印刷装置３０にグロッサー８０が搭載されているか否かの問い合わせ信号を出力する。そして、ＭＩＣ６０から問い合わせ結果を示す信号を受け付けると、グロッサー８０が搭載されているか否かを判別する（ステップＳ１０１）。そして、グロッサー８０が搭載されていると判別した場合には(ステップＳ１０１：Ｙｅｓ)、装置構成取得部５８は、グロッサー８０搭載有りを示す内部フラグをオンにする（ステップＳ１０２）。
【０１３３】
グロッサー８０が搭載されていないと判別した場合には(ステップＳ１０１：Ｎｏ)、ステップＳ１０３へ進む。また上記ステップＳ１０２の処理後もステップＳ１０３へ進む。次に、装置構成取得部５８は、ＭＩＣ６０に、印刷装置３０に、通常定着処理機としての後処理機９０Ａが搭載されているか否かの問い合わせ信号を出力する。そして、ＭＩＣ６０から問い合わせ結果を示す信号を受け付けると、後処理機９０Ａが搭載されているか否かを判別する（ステップＳ１０３）。そして、後処理機９０Ａが搭載されていると判別した場合には(ステップＳ１０３：Ｙｅｓ)、装置構成取得部５８は、後処理機９０Ａの搭載有りを示す内部フラグをオンにする（ステップＳ１０４）。
【０１３４】
後処理機９０Ａが搭載されていないと判別した場合には(ステップＳ１０３：Ｎｏ)、ステップＳ１０５へ進む。また上記ステップＳ１０４の処理後もステップＳ１０５へ進む。次に、装置構成取得部５８は、ＭＩＣ６０に、印刷装置３０に、低温定着処理機としての後処理機９０Ｂが搭載されているか否かの問い合わせ信号を出力する。そして、ＭＩＣ６０から問い合わせ結果を示す信号を受け付けると、後処理機９０Ｂが搭載されているか否かを判別する（ステップＳ１０５）。そして、後処理機９０Ｂが搭載されていると判別した場合には(ステップＳ１０５：Ｙｅｓ)、装置構成取得部５８は、後処理機９０Ｂの搭載有りを示す内部フラグをオンにする（ステップＳ１０６）。
【０１３５】
そして、後処理機９０Ｂが搭載されていないと判別した場合には(ステップＳ１０５：Ｎｏ)、本ルーチンを終了する。また上記ステップＳ１０６の処理後も本ルーチンを終了する。
【０１３６】
図１５へ戻り、次に、表面効果種類判別部５６Ｄが、上記ステップＳ２で得た８ビットの光沢制御版データを用いて、光沢制御版データによって示される各画素値に対して指定された表面効果の種類を判別する（ステップＳ５）。詳細には、表面効果種類判別部５６Ｄは、装置構成取得部５８から取得した装置構成情報に対応する表面効果選択テーブルを記憶部５６Ｂから読み取り、読み取った表面効果選択テーブルを参照して、該８ビットの光沢制御版データを用いて、光沢制御版データによって示される各画素値に対して指定された表面効果の種類を判別する。そして、表面効果種類判別部５６Ｄは、光沢制御板を構成する全ての画素について、このような判断を行う。
【０１３７】
そして、このときさらに、表面効果種類判別部５６Ｄは、１ページ内で異なる種類の表面効果が指定されているか否かを判断する。なお、図１５に示す処理ルーチンでは、１ページ内で異なる種類の表面効果が指定されている場合を説明する。
【０１３８】
すなわち、このステップＳ５の処理によって、表面効果種類判別部５６Ｄは、処理対象の画像データによって表される画像の領域毎の、ユーザ指定の表面効果の種類を取得する。
【０１３９】
次に、置換部５６Ａが、上記ステップＳ４で取得した装置構成情報に対応する設定テーブルを記憶部５６Ｂから読み取る（ステップＳ５１）。
【０１４０】
次に、置換部５６Ａが、上記ステップＳ５で読み取った表面効果の種類、及びステップＳ５１で読み取った設定テーブルに基づいて、置換処理、すなわち装置構成によって実現困難な種類の表面効果を実現可能な種類の表面効果に置き換えたクリアトナー版データの生成及びグロッサー８０のオンオフの設定を行う（ステップＳ６）。
【０１４１】
具体的には、置換部５６Ａは、上記ステップＳ５１において、上記ステップＳ４で取得した装置構成情報に対応する設定テーブルを記憶部５６Ｂから読み取る。すなわち、置換部５６Ａは、上記ステップＳ４で取得した装置構成情報が後処理機４０の全て（グロッサー８０、後処理機９０Ａ、後処理機９０Ｂ）が搭載されている装置構成を示す装置構成情報である場合には、該装置構成情報に対応する設定テーブルとして、上述した図１２に示す設定テーブルを記憶部５６Ｂから読み取る。また、置換部５６Ａは、上記ステップＳ４で取得した装置構成情報が、後処理機４０としてグロッサー８０と後処理機９０Ｂの搭載されている装置構成を示す装置構成情報である場合、該装置構成情報に対応する設定テーブルとして、上述した図１３に示す設定テーブルを記憶部５６Ｂから読み取る。また、置換部５６Ａは、上記ステップＳ４で取得した装置構成情報が、後処理機４０としてグロッサー８０のみが搭載されている装置構成を示す装置構成情報である場合、該装置構成情報に対応する設定テーブルとして、上述した図１４に示す設定テーブルを記憶部５６Ｂから読み取る。
【０１４２】
そして、置換部５６Ａは、読み取った設定テーブルにおける、印刷装置３０に搭載されている各装置（プリンタ機７０と、グロッサー８０、後処理機９０Ａ、及び後処理機９０Ｂの少なくとも１つ）の各々に対応する設定（グロッサー８０のオンオフ、各クリアトナー版データ）を、上記ステップＳ５で取得したユーザ指定の表面効果の種類毎に読取る。そして、搭載されている後処理機４０ごとのクリアトナー版データの作成や、グロッサー８０のオンオフの設定を行う。
【０１４３】
図１７には、装置構成情報として、グロッサー８０及び後処理機９０Ｂの搭載を示す装置構成情報（すなわち、図８の構成を示す装置構成情報）を上記ステップＳ４で取得した場合の置換処理を示した。
【０１４４】
この場合、置換部５６Ａは、グロッサー８０及び後処理機９０Ｂのみが後処理機４０として設けられている事を示す装置構成情報に対応する設定テーブルを読み取る。例えば、置換部５６Ａは、該装置構成情報に対応する設定テーブルとして、図１３に示す設定テーブルを読み取る。その後、置換部５６Ａは、置換処理として、図１７に示す処理を実行する。図１７には、図１３に示す設定テーブルを読み取った場合の置換処理を示した。
【０１４５】
図１３に示すように、置換部５６Ａは、該読み取った設定テーブルに示されるグロッサー８０のオンオフを示す情報が「オン」であることから、グロッサー８０をオンに設定する（図示省略）。そして、置換部５６Ａは、プリンタ機７０で用いるクリアトナー版データとして、ユーザ指定の表面効果が鏡面光沢（ＰＧ）である領域についてはＩＮＶ−１、ユーザ指定の表面効果がベタ光沢（Ｇ）である領域についてはＩＮＶ−ｍのクリアトナー版データを生成する。また、置換部５６Ａは、ユーザ指定の表面効果が網点マット（Ｍ）及びつや消し（ＰＭ）である領域についてはｎｏ  ｄａｔａ（データ無し）とする。すなわち、置換部５６Ａは、ユーザ指定の表面効果が網点マット（Ｍ）及びつや消し（ＰＭ）である領域については、プリンタ機７０で用いるクリアトナー版データを作成しない。図１７に戻り、このようにして、置換部５６Ａは、プリンタ機７０で用いるクリアトナー版データ（２ビットのクリアトナー版データ）を作成する（ステップＳ１１０）。
【０１４６】
次に、置換部５６Ａは、後処理機９０Ｂで用いるクリアトナー版データとして、ユーザ指定の表面効果が鏡面光沢（ＰＧ）及びベタ光沢（Ｇ）である領域についてはｎｏ  ｄａｔａ（データ無し）とする。すなわち、置換部５６Ａは、ユーザ指定の表面効果が鏡面光沢（ＰＧ）及びベタ光沢（Ｇ）である領域については、後処理機９０Ｂで用いるクリアトナー版データを作成しない。また、置換部５６Ａは、ユーザ指定の表面効果が網点マット（Ｍ）及びつや消し（ＰＭ）である領域については、後処理機９０Ｂで用いるクリアトナー版データとして、ベタマスクのクリアトナー版データを作成する。これによって、置換部５６Ａは、後処理機９０Ｂで用いるクリアトナー版データ（２ビットのクリアトナー版データ）を作成する（ステップＳ１１２）。そして、本ルーチンを終了する。
【０１４７】
図１５に戻り、次に、ＤＦＥ５０は、ステップＳ３で得たハーフトーン処理後のＣＭＹＫの各２ビットの有色版データと、ステップＳ６で適宜生成した２ビットのクリアトナー版データと、ステップＳ６で決定したグロッサー８０のオン又はオフを示すオンオフ情報とをＭＩＣ６０に対して出力する（ステップＳ７）。
【０１４８】
これによって、本ルーチンを終了する。
【０１４９】
ＭＩＣ６０は、ＤＦＥ５０から出力されたグロッサー８０のオン又はオフを示すオンオフ情報に基づいて、グロッサー８０をオンまたはオフにする。また、ＭＩＣ６０は、ＤＦＥ５０から出力された画像データであるＣＭＹＫの各２ビットの有色版データと、ステップＳ６で生成したプリンタ機７０で用いるクリアトナー版データとを統合し、プリンタ機７０へ出力する。プリンタ機７０は、ＭＩＣ６０から出力されたＣＭＹＫの有色版データ及びクリアトナー版データを用いて、露光器から光ビームを照射して各トナーに応じたトナー像を感光体上に形成してこれを記録媒体に転写した後に定着させる。これによって記録媒体に、ＣＭＹＫのトナーの他クリアトナーが付着されて、画像が形成される。
【０１５０】
その後、搬送路２０に沿って記録媒体が搬送されてグロッサー８０の位置に到ると、グロッサー８０をオンとなっている場合には、グロッサー８０が、当該記録媒体（のプリンタ機７０による画像形成領域を含む領域）を再定着する。
【０１５１】
また、ＭＩＣ６０は、ＤＦＥ５０から出力されたクリアトナー版データが後処理機９０Ａで用いるクリアトナー版データである場合には、該クリアトナー版データを後処理機９０Ａへ出力する。後処理機４０に後処理機９０Ａが搭載されている場合には、後処理機９０ＡはＭＩＣ６０から該クリアトナー版データを受け付ける。そして、後処理機９０Ａは、ＭＩＣ６０から出力されたクリアトナー版データを用いてクリアトナーによるトナー像を形成して、グロッサー８０を通過した記録媒体上に当該トナー像を重ねて、通常温度での加熱及び加圧により記録媒体に定着させる。
【０１５２】
また、ＭＩＣ６０は、ＤＦＥ５０から出力されたクリアトナー版データが後処理機９０Ｂで用いるクリアトナー版データである場合には、該クリアトナー版データを後処理機９０Ｂへ出力する。後処理機４０に後処理機９０Ｂが搭載されている場合には、後処理機９０ＢはＭＩＣ６０から該クリアトナー版データを受け付ける。そして、後処理機９０Ｂは、ＭＩＣ６０から出力されたクリアトナー版データを用いてクリアトナーによるトナー像を形成して、後処理機９０Ａを通過した記録媒体上に当該トナー像を重ねて、低温での加熱及び加圧により記録媒体に定着させる。
【０１５３】
このため、例えば、上述のように、後処理機４０として後処理機９０Ａを搭載せず、グロッサー８０及び後処理機９０Ｂを備えた装置構成の印刷装置３０（図８参照）であり、該装置構成を示す装置構成情報に対応する設定テーブルとして図１３に示す設定テーブルが記憶部５６Ｂに記憶されていたとする。そして、１ページ内で異なる種類の表面効果が指定されたとする。
【０１５４】
この場合には、上記図１４に示す光沢制御処理が実行されることによって、搬送路２０を搬送され、プリンタ機７０、グロッサー８０、及び後処理機９０Ｂを通過した記録媒体においては、図１３に示すように、鏡面光沢（ＰＧ）が指定された領域及びベタ光沢（Ｇ）がユーザによって指定された領域には、鏡面光沢（ＰＧ）としての表面効果が与えられ、網点マット（Ｍ）及びつや消し（ＰＭ）がユーザによって指定された領域には、つや消し（ＰＭ）としての表面効果が与えられる。なお、表面効果を与える領域として指定されていない領域には、いずれの表面効果も与えられない。
【０１５５】
以上説明したように、本実施の形態の画像形成システム１０では、ＤＥＦ５０のクリアプロセッシング５６が、表面効果種類判別部５６Ｄ、置換部５６Ａ、及び表面効果選択テーブルや設定テーブル等を記憶した記憶部５６Ｂを備えている。設定テーブルは、ユーザ指定の表面効果のうちの、装置構成によって実現困難な種類の表面効果を実現可能な種類の表面効果に置き換えるための設定内容を格納したものである。また、ＤＥＦ５０は、後処理機４０の装置構成を示す装置構成情報を取得する装置構成取得部５８を備えている。そして、記憶部５６Ｂは、表面効果選択テーブルや設定テーブルを、後処理機４０の装置構成を示す装置構成情報に対応づけて記憶している。そして、置換部５６Ａは、後処理機４０の装置構成に応じて、ユーザ指定の表面効果のうちの装置構成によって実現困難な種類の表面効果を実現可能な種類の表面効果に置き換えるための設定内容を格納した設定テーブルを用いて、置換部５６Ａがグロッサー８０のオンオフ設定や、プリンタ機７０、後処理機９０Ａ、または後処理機９０Ｂ等で用いるクリアトナー版データを生成する。そして、印刷装置３０は、この設定されたオンオフ設定や生成されたクリアトナー版データを用いて印刷を行う。
【０１５６】
従って、後処理機４０の一部が搭載されていない場合であっても、ユーザの手間を掛けることなく、画像が形成される記録媒体に対してクリアトナーによる表面効果を与えることができる。
【０１５７】
（第２の実施の形態）
次に、印刷制御装置、画像形成システム、印刷制御方法、記録媒体製造方法及び印刷手段制御プログラムの第２の実施の形態について説明する。なお、上述の第１の実施の形態と共通する部分については、同一の符号を使用して説明したり、説明を省略する場合がある。
【０１５８】
上記第１の実施の形態においては、後処理機４０の構成に応じて、ＤＥＦ５０側（クリアプロセッシング５６側）で、装置構成情報に対応する設定テーブルに応じて、各後処理機のクリアトナー版データの作成と共に、グロッサー８０のオンオフの設定を行った。
【０１５９】
一方、本実施の形態においては、上記光沢制御版データによって示されるユーザ指定の表面効果とは別に、ユーザが、光沢優先または種類優先のいずれかを選択する。そして、本実施の形態では、このユーザによって選択された選択内容に応じて、光沢優先または種類優先の表面効果の置換処理を行う。
【０１６０】
なお、光沢優先とは、ユーザ指定の表面効果を、より光沢度の高い表面効果に置き換えることを示している。また、種類優先とは、ユーザ指定の表面効果を、最も光沢度の高い鏡面光沢（ＰＧ）を含まない表面効果に置き換えることを示している。
【０１６１】
図１８には、本実施の形態の画像形成システムにおけるＤＥＦ５００の構成を示した。
なお、本実施の形態における画像形成システムは、第１の実施の形態で説明した図１に示すＤＥＦ５０に代えて、図１８に示すＤＥＦ５００を用いた以外は、第１の実施の形態と同じ構成である。このため、画像形成システムにおけるＤＥＦ５００以外の構成については詳細な説明をここでは省略する。
【０１６２】
ＤＥＦ５００は、ハードウェア構成として、装置全体を制御するＣＰＵなどの制御部と、各種データや各種プログラムを記憶するＲＯＭやＲＡＭなどの主記憶部と、各種データや各種プログラムを記憶するＨＤＤなどの補助記憶部とを備えており、通常のコンピュータを利用したハードウェア構成となっている。
【０１６３】
機能的構成としては、ＤＦＥ５００は、図１８に例示されるように、レンダリングエンジン５１と、ｓｉ１部５２と、ＴＲＣ５３と、ｓｉ２部５４と、ハーフトーンエンジン５５と、ｓｉ３部５７と、装置構成取得部５８と、クリアプロセッシング５６０と、を有する。クリアプロセッシング５６０は、表面効果種類判別部５６Ｄ、記憶部５６０Ｂ、置換部５６０Ａを備えている。
【０１６４】
ＤＥＦ５００は、図７のクリアプロセッシング５６に代えてクリアプロセッシング５６０を備えた以外は、第１の実施の形態と同じ構成である。また、クリアプロセッシング５６０は、図７の置換部５６Ａに代えて置換部５６０Ａを備え、図７の記憶部５６Ｂに替えて記憶部５６０Ｂを備えた以外はクリアプロセッシング５６と同じ構成である。このため、第１の実施の形態で説明した各構成と同じ構成及び機能を示す部分には同じ符号を付与して詳細な説明を省略する。
【０１６５】
ＤＦＥ５００は、さらに、ＵＩ（Ｕｓｅｒ  Ｉｎｔｅｒｆａｃｅ）部５９を備えている。ＵＩ部５９は、各種情報の表示や各種指示の受け付けを行う。本実施の形態では、ＵＩ部５９には、図１９に示す光沢効果の選択を、ユーザに対して促すための選択画面２２Ａが表示される。本実施の形態では、「光沢優先」及び「種類優先」の何れかをユーザが選択するための選択画面２２ＡがＵＩ部５９に表示される。
【０１６６】
そして、ユーザがＵＩ部５９における選択ボタン（図示省略）の表示箇所を指示することによって、「光沢優先」及び「種類優先」の何れかが選択された後に、ＵＩ部５９に表示されている決定ボタン（図示省略）の表示箇所が指示される。これによって、ＵＩ部５９からクリアプロセッシング５６０の置換部５６０Ａに、ユーザによって指示された「光沢優先」または「種類優先」を示す信号が出力される。
【０１６７】
なお本実施の形態では、ＵＩ部５９がＤＥＦ５００に設けられている場合を説明するが、ＵＩ部５９は、ＤＥＦ５０に画像データを入力するパソコンに設けられていてもよい。すなわち、ＤＥＦ５００は、「光沢優先」または「種類優先」を示す信号を、該パソコンから受け付けてもよい。
【０１６８】
記憶部５６０Ｂは、記憶部５６Ｂと同様に、装置構成情報に対応する表面効果選択テーブルを記憶する。記憶部５６０Ｂは、設定テーブルとして、装置構成情報、及び光沢効果の種類に対応する、設定テーブルを記憶する。
【０１６９】
本実施の形態では、記憶部５６０Ｂは、装置構成情報に対応する設定テーブルとして、後処理機４０（グロッサー８０、後処理機９０Ａ、後処理機９０Ｂ）が全て搭載されている装置構成を示す装置構成情報と、光沢効果の種類と、に対応する設定テーブルを記憶する。また、記憶部５６０Ｂは、装置構成情報に対応する設定テーブルとして、グロッサー８０及び後処理機９０Ｂが搭載されている装置構成を示す装置構成情報と、光沢効果の種類と、に対応する設定テーブルを記憶する。また、記憶部５６０Ｂは、装置構成情報に対応する設定テーブルとして、グロッサー８０が搭載されている装置構成を示す装置構成情報と、光沢効果の種類と、に対応する設定テーブルを記憶する。
【０１７０】
具体的には、記憶部５６０Ｂは、後処理機４０の全て（グロッサー８０、後処理機９０Ａ、後処理機９０Ｂ）が搭載されている装置構成を示す装置構成情報、及び光沢効果「光沢優先」に対応する設定テーブルとして、上述した図１２に示す設定テーブルを記憶する。
【０１７１】
なお、記憶部５６０Ｂは、後処理機４０の全て（グロッサー８０、後処理機９０Ａ、後処理機９０Ｂ）が搭載されている装置構成を示す装置構成情報、及び光沢効果「種類優先」に対応する設定テーブルとして、上述した図１２に示す設定テーブルを記憶する。これは、後処理機４０の全て（グロッサー８０、後処理機９０Ａ、後処理機９０Ｂ）が搭載されている場合には、後処理機４０の構成によって実現出来ない表面効果がないためである。
【０１７２】
また、記憶部５６０Ｂは、後処理機４０としてグロッサー８０と後処理機９０Ｂの搭載されている装置構成を示す装置構成情報、及び光沢効果「光沢優先」に対応する設定テーブルとして、上述した図１３に示す設定テーブルを記憶する。
【０１７３】
また、記憶部５６０Ｂは、後処理機４０としてグロッサー８０と後処理機９０Ｂの搭載されている装置構成を示す装置構成情報、及び光沢効果「種類優先」に対応する設定テーブルとして、図２０に示す設定テーブルを記憶する。
【０１７４】
図２０に示す設定テーブルには、グロッサー８０をオフにすることを示す情報と、プリンタ機７０及び後処理機９０Ｂの各々で用いるクリアトナー版データが示されている。
【０１７５】
具体的には、図２０に示す設定テーブルには、ユーザ指定の表面効果がＰＧ（鏡面光沢）である領域については、プリンタ機７０で用いるクリアトナー版データを“ＩＮＶ−１”とし、グロッサー８０をオフとし、後処理機９０Ｂで用いるクリアトナー版データを“ｎｏ  ｄａｔａ”（データ無し）にすることが示されている。そして、この設定とすることによって、ユーザ指定の表面効果であるＰＧ（鏡面光沢）に対して、印刷装置３０においてＧ（ベタ光沢）が得られることが示されている。
【０１７６】
また、図２０に示す設定テーブルは、ユーザ指定の表面効果がＧ（ベタ光沢）である領域については、プリンタ機７０で用いるクリアトナー版データを“ＩＮＶ−ｍ”とし、グロッサー８０をオフにし、後処理機９０Ｂで用いるクリアトナー版データを“ｎｏ  ｄａｔａ”（データ無し）とすることが示されている。そして、この設定とすることによって、ユーザ指定の表面効果であるＧ（ベタ光沢）に対して、該表面効果Ｇが得られることが示されている。
【０１７７】
同様に、図２０に示す設定テーブルは、ユーザ指定の表面効果がＭ(網点マット)である領域については、プリンタ機７０で用いるクリアトナー版データを“ｈａｌｆｔｏｎｅ−ｎ”とし、グロッサー８０をオフとし、後処理機９０Ｂで用いるクリアトナー版データを“ｎｏ  ｄａｔａ”（データ無し）とすることが示されている。そして、このように設定することによって、ユーザ指定の表面効果であるＭ（網点マット）に対して、該表面効果Ｍが得られることが示されている。
【０１７８】
そして、さらに、図２０に示す設定テーブルは、ユーザ指定の表面効果がＰＭ（つや消し）である領域については、プリンタ機７０で用いるクリアトナー版データを“ｎｏ  ｄａｔａ”（データ無し）とし、グロッサー８０をオフとし、後処理機９０Ｂで用いるクリアトナー版データを“ベタ”（図１０のベタＡ、Ｂ、Ｃのいずれかが該当する）とすることが示されている。そして、このように設定することによって、ユーザ指定の表面効果であるＰＭ（つや消し）に対して、該表面効果ＰＭが得られることが示されている。
【０１７９】
また、記憶部５６０Ｂは、後処理機４０としてグロッサー８０のみの搭載されている装置構成を示す装置構成情報、及び光沢効果「光沢優先」に対応する設定テーブルとして、上述した図１４に示す設定テーブルを記憶する。
【０１８０】
また、記憶部５６０Ｂは、後処理機４０としてグロッサー８０のみの搭載されている装置構成を示す装置構成情報、及び光沢効果「種類優先」に対応する設定テーブルとして、図２１に示す設定テーブルを記憶する。
【０１８１】
図２１に示す設定テーブルには、光沢制御版データによって判別されたユーザ指定の表面効果がＰＧ（鏡面光沢）であると判別された領域についてはＧ（ベタ光沢）に置き換え、ユーザ指定の表面効果がＰＭ（つや消し）であると判別された領域についてはＭ（網点マット）に置き換えることが示されている。
【０１８２】
そして、図２１に示す設定テーブルには、上記表面効果を実現するための設定内容として、グロッサー８０をオフにすることを示す情報、及びプリンタ機７０で用いるクリアトナー版データが示されている。
【０１８３】
具体的には、図２１に示す設定テーブルには、ユーザ指定の表面効果がＰＧ（鏡面光沢）である領域については、プリンタ機７０で用いるクリアトナー版データを“ＩＮＶ−１”とし、グロッサー８０をオフにすることが示されている。そして、この設定とすることによって、ユーザ指定の表面効果であるＰＧ（鏡面光沢）に対して、印刷装置３０においてＧ（ベタ光沢）が得られることが示されている。
【０１８４】
また、図２１に示す設定テーブルは、ユーザ指定の表面効果がＧ（ベタ光沢）である領域については、プリンタ機７０で用いるクリアトナー版データを“ＩＮＶ−ｍ”とし、グロッサー８０をオフにすることが示されている。そして、この設定とすることによって、ユーザ指定の表面効果であるＧ（ベタ光沢）に対して、該表面効果Ｇが得られることが示されている。
【０１８５】
同様に、図２１に示す設定テーブルは、ユーザ指定の表面効果がＭ(網点マット)である領域については、プリンタ機７０で用いるクリアトナー版データを“ｈａｌｆｔｏｎｅ−ｎ”（図１０のハーフトーン１から４のいずれが該当する）とし、グロッサー８０をオフとすることが示されている。そして、このように設定することによって、ユーザ指定の表面効果であるＭ（網点マット）に対して、該表面効果Ｍが得られることが示されている。
【０１８６】
そして、さらに、図２１に示す設定テーブルは、ユーザ指定の表面効果がＰＭ（つや消し）である領域については、プリンタ機７０で用いるクリアトナー版データを“ｎｏ  ｄａｔａ”（データ無し）とし、グロッサー８０をオフとすることが示されている。そして、このように設定することによって、ユーザ指定の表面効果であるＰＭ（つや消し）に対して、該表面効果ＰＭを表面効果Ｍ（網点マット）に置き換えることが示されている。
【０１８７】
置換部５６０Ａは、表面効果種類判別部５６Ｄから受け付けた、ユーザ指定の表面効果の種類と、ＵＩ部５９からから受け付けた「光沢優先」または「種類優先」を示す信号と、に対応する設定テーブルを、記憶部５６０Ｂから読み取る。そして、置換部５６０Ａは、読み取った設定テーブルによって示される設定内容に応じてクリアトナー版データを生成する。これによって、置換部５６０Ａは、第１の実施の形態における置換部５６Ａと同様に、読み取った設定テーブルに基づいて、表面効果種類判別部５６Ｄから受け付けたユーザ指定の表面効果の種類を、印刷装置３０で実現可能な表面効果の種類に置き換える。すなわち、置換部５６０Ａは、装置構成、及び光沢優先または種類優先に応じて、印刷装置３０で実現可能な種類の表面効果が得られるようにクリアトナー版データを生成する。
【０１８８】
なお、置換部５６０Ａでは、ＵＩ部５９から光沢優先を示す信号を受け付けたときには、グロッサー８０をオンに設定する。また、置換部５６０Ａでは、ＵＩ部５９から種類優先を示す信号を受け付けたときには、グロッサー８０をオフに設定する。
【０１８９】
なお、グロッサー８０をオンに設定すると、最も光沢度の高い鏡面光沢（ＰＧ）を実現することができる。このため、本実施の形態では、ＵＩ部５９には「光沢優先」の文字を表示し、この「光沢優先」がユーザによって指示（選択）されると、グロッサー８０をオンにする構成となっている。
【０１９０】
そして、第１の実施の形態と同様に、置換部５６０Ａは、１ページごとに生成したクリアトナー版データやグロッサー８０に対するオンオフ情報を印刷装置３０へ出力する。
【０１９１】
次に、本実施の形態に係る画像形成システムが行う光沢制御処理の手順について図２２を用いて説明する。
【０１９２】
本実施の形態では、ＤＦＥ５００は、図２２に示すステップＳ１、ステップＳ２、ステップＳ３、ステップＳ４、ステップＳ５、ステップＳ６００、ステップＳ６０１、ステップＳ６０２、及びステップＳ７の処理をこの順に実行する。なお、図２２中、ステップＳ１〜ステップＳ５及びステップＳ７の処理は、第１の実施の形態で図１４を用いて説明した内容と同じである。このため、ここでは異なる処理であるステップＳ６００〜ステップＳ６０２の処理の詳細を説明する。
【０１９３】
ステップＳ５の処理を行った後に、ＤＥＦ５００の置換部５６０Ａは、光沢効果読取り処理を行う（ステップＳ６００）。ステップＳ６００の処理によって、置換部５６０Ａは、種類優先、または光沢優先、の何れかを読み取る。
【０１９４】
なお、上述のように、上記ＵＩ部５９がユーザによって操作指示されて、選択画面２２Ａを介して光沢優先または種類優先を示す信号がクリアプロセッシング５６０の置換部５６０Ａに出力される。この光沢優先または種類優先を示す信号を受け付けた置換部５６０Ａは、該信号を受け付けたときに、該信号を記憶部５６Ｂに記憶するものとする。そして、置換部５６０Ａは、新しくＵＩ部５９から該信号を受け付ける度に、該信号を記憶部５６Ｂに上書きして記憶するものとする。
【０１９５】
そして、ステップＳ６００の処理時には、置換部５６０Ａは、該信号を記憶部５６Ｂから読み取ることによって、光沢効果としての、光沢優先または種類優先を示す信号を読み取る。
【０１９６】
次に、置換部５６０Ａは、ステップＳ５で取得した装置構成情報、及びステップＳ６００で読み取った光沢効果に対応する種類優先、または光沢優先に対応する設定テーブルを、記憶部５６０Ｂから読み取る（ステップＳ６０１）。
【０１９７】
次に、置換部５６０Ａは、ステップＳ６０１で読み取った設定テーブルに基づいて、置換処理、すなわち装置構成によって実現困難な種類の表面効果を実現可能な種類の表面効果に置き換えたクリアトナー版データの生成及びグロッサー８０のオンオフの設定を行う（ステップＳ６０２）。
【０１９８】
そして、このステップＳ６０２において、置換部５６０Ａは、上述したように、上記ステップＳ６００で読み取った光沢効果が光沢優先を示す信号である場合には、グロッサー８０のオンを示す情報と、上記ステップＳ５で取得した装置構成情報と、の双方に対応する設定テーブルを用いて、置換処理を行う。一方、このステップＳ６０２において、置換部５６０Ａは、上記ステップＳ６００で読み取った光沢効果が種類優先を示す信号である場合には、グロッサー８０のオフを示す情報と、上記ステップＳ５で取得した装置構成情報と、の双方に対応する設定テーブルを用いて、置換処理を行う。
【０１９９】
その後、置換部５６０Ａは、ステップＳ７の処理を行った後に、本ルーチンを終了する。
【０２００】
図２３には、ＭＩＣ６０で行われる処理を示した。なお、図２３には、後処理機４０として、グロッサー８０と、後処理機９０Ａ及び後処理機９０Ｂの少なくとも一方が搭載されている印刷装置３０に、ＤＥＦ５００からグロッサー８０のオンオフを示す情報やクリアトナー版データを含むデータを送信した場合を示した。
【０２０１】
ＭＩＣ６０は、ＤＦＥ５００から上記ステップＳ７（図２２参照）の処理によってＭＩＣ６０へ出力されたデータが入力されると、入力されたデータに含まれるグロッサー８０のオンオフを示す情報が、オンを示す情報かオフを示す情報かを判断する（ステップＳ２０１）。そして、グロッサー８０のオンを示す情報であると判断したときには（ステップＳ２０１：グロッサーＯｎ（光沢優先））、グロッサー８０をオンに設定する（ステップ２０２）。
【０２０２】
そして、ＭＩＣ６０は、該入力されたデータに含まれる各クリアトナー版データを、対応する搭載されている後処理機４０（後処理機９０Ａ及び後処理機９０Ｂの少なくとも一方）に送信する（ステップＳ２０３）。そして、本ルーチンを終了する。ここで、ＤＥＦ５００による上記ステップＳ６０２（図２２参照）の処理によって、該クリアトナー版データは、グロッサー８０をオンにした状態における、ユーザ指定の表面効果のうちの装置構成によって実現困難な種類の表面効果を実現可能な種類の表面効果に置き換えるための設定内容を示す設定テーブルに基づいて生成されたものとなっている。このため、ＭＩＣ６０は、クリアトナー版データとして、光沢優先時のクリアトナー版データを、対応する後処理機４０に送信することとなる。
【０２０３】
一方、上記ステップＳ２０１において、ＭＩＣ６０が、グロッサー８０のオフを示す情報であると判断したときには（ステップＳ２０１：グロッサーＯｆｆ（種類優先））、グロッサー８０をオフとする（ステップ２０４）。
【０２０４】
そして、ＭＩＣ６０は、該入力されたデータに含まれる各クリアトナー版データを、対応する搭載されている後処理機４０（後処理機９０Ａ及び後処理機９０Ｂの少なくとも一方）に送信する（ステップＳ２０５）。そして、本ルーチンを終了する。ここで、ＤＥＦ５００による上記ステップＳ６０２（図２２参照）の処理によって、該クリアトナー版データは、グロッサー８０をオフにした状態における、ユーザ指定の表面効果のうちの装置構成によって実現困難な種類の表面効果を実現可能な種類の表面効果に置き換えるための設定内容を示す設定テーブルに基づいて生成されたものとなっている。このため、ＭＩＣ６０は、クリアトナー版データとして、種類優先時のクリアトナー版データを、対応する後処理機４０に送信することとなる。
【０２０５】
以下、具体例を用いて、本実施の形態における光沢制御処理の詳細を説明する。
【０２０６】
上述のように、置換部５６０Ａは、装置構成情報としてグロッサー８０のみを示す情報が入力され、且つＵＩ部５９を介してユーザが設定した光沢効果が「種類優先」であるときには、装置構成情報及び光沢効果「種類優先」に対応する設定テーブルとして、図２０に示す設定テーブルを読み取る。そして、置換部５６０Ａは、読み取った、図２０に示す設定テーブルを用いて、上記置換処理を行う。
【０２０７】
このため、置換部５６０Ａが、図２０に示す設定テーブルに応じた置換処理を行うことによって、後処理機４０としてグロッサー８０のみを搭載した印刷装置３０では、後処理機４０の装置構成、及びユーザの指定した「種類優先」（グロッサー８０をオフとする）の指示に基づいて、最も光沢度の高い鏡面光沢（ＰＧ）を含まない表面効果に置き換えた印刷を行うことができる。
【０２０８】
また、置換部５６０Ａは、装置構成情報としてグロッサー８０のみを示す情報が入力され、且つＵＩ部５９を介してユーザが設定した光沢効果が「光沢優先」であるときには、装置構成情報及び光沢効果「光沢優先」に対応する設定テーブルとして、図１４に示す設定テーブルを読み取る。そして、置換部５６０Ａは、読み取った、図１４に示す設定テーブルを用いて、上記置換処理を行う。
【０２０９】
このため、置換部５６０Ａが、図１４に示す設定テーブルに応じた置換処理を行うことによって、後処理機４０としてグロッサー８０のみを搭載した印刷装置３０では、後処理機４０の装置構成、及びユーザの指定した「光沢優先」（グロッサー８０をオンとする）の指示に基づいて、最も光沢度の高い鏡面光沢（ＰＧ）を含まない表面効果に置き換えた印刷を行うことができる。
【０２１０】
また、置換部５６０Ａは、装置構成情報としてグロッサー８０及び後処理機９０Ｂを示す情報が入力され、且つＵＩ部５９を介してユーザが設定した光沢効果が「種類優先」であるときには、装置構成情報及び光沢効果「種類優先」に対応する設定テーブルとして、図２１に示す設定テーブルを読み取る。そして、置換部５６０Ａは、読み取った、図２１に示す設定テーブルを用いて、上記置換処理を行う。
【０２１１】
図２１に示す設定テーブルには、光沢制御版データによって判別されたユーザ指定の表面効果がＰＧ（鏡面光沢）であると判別された領域についてはＧ（ベタ光沢）に置き換えることが示されている。
【０２１２】
このため、該装置構成において「種類優先」がユーザによって選択された場合には、図２１に示す設定テーブルを用いることによって、ユーザ指定の表面効果を、最も光沢度の高い鏡面光沢（ＰＧ）を含まない表面効果に置き換えた印刷が可能となる。
【０２１３】
このため、置換部５６０Ａが、図２１に示す設定テーブルに応じた置換処理を行うことによって、後処理機４０としてグロッサー８０及び後処理機９０Ｂを搭載した印刷装置３０では、後処理機４０の装置構成、及びユーザの指定した「種類優先」（グロッサー８０をオフとする）の指示に基づいて、最も光沢度の高い鏡面光沢（ＰＧ）を含まない表面効果に置き換えた印刷を行うことができる。
【０２１４】
また、置換部５６０Ａは、装置構成情報としてグロッサー８０及び後処理機９０Ｂを搭載した情報が入力され、且つＵＩ部５９を介してユーザが設定した光沢効果が「光沢優先」であるときには、装置構成情報及び光沢効果「光沢優先」に対応する設定テーブルとして、図１３に示す設定テーブルを読み取る。そして、置換部５６０Ａは、読み取った、図１３に示す設定テーブルを用いて、上記置換処理を行う。
【０２１５】
このため、置換部５６０Ａが、図１３に示す設定テーブルに応じた置換処理を行うことによって、後処理機４０としてグロッサー８０と後処理機９０Ｂを搭載した印刷装置３０では、後処理機４０の装置構成、及びユーザの指定した「光沢優先」（グロッサー８０をオンとする）の指示に基づいて、ユーザ指定の表面効果がＧ（ベタ光沢）であると判別された領域についてはＰＧ（鏡面光沢）に置き換え、ユーザ指定の表面効果がＭ（網点マット）であると判別された領域についてはＰＭ（つや消し）に表面効果の種類を置き換えて
記録媒体に画像を形成することができる。
【０２１６】
従って、本実施の形態では、印刷装置３０（後処理機４０）の装置構成を示す装置構成情報に基づいて、該印刷装置３０で実現困難な種類の表面効果を、ユーザによって指示された種類優先または光沢優先を示す指示に応じて、該印刷装置３０で実現可能な種類の表面効果に置き換えることができる。
【０２１７】
（第３の実施の形態）
次に、印刷制御装置、画像形成システム、印刷手段制御方法、記録媒体製造方法及び印刷手段制御プログラムの第３の実施の形態について説明する。なお、上述の第１の実施の形態と共通する部分については、同一の符号を使用して説明したり、説明を省略する場合がある。
【０２１８】
上記第１の実施の形態においては、印刷装置３０に設けられた搬送路２０は、記録媒体を、プリンタ機７０の設けられている位置及び後処理機４０設けられている位置にこの順に搬送した後に、印刷装置３０の外部へ排出するように設けられている場合を説明した。
【０２１９】
一方、本実施の形態では、搬送路２０は、搬送路２０Ａ及び搬送路２０Ｂの２つの搬送路から構成されている場合を説明する。そして、搬送路２０Ａは、記録媒体を、プリンタ機７０の設けられている位置及び後処理機４０設けられている位置にこの順に搬送するための搬送路である。そして、搬送路２０Ｂは、該搬送路２０Ａによる記録媒体の搬送方向とは逆方向に記録媒体を搬送して、後処理機４０を通過した記録媒体を再度プリンタ機７０より上流側（搬送路２０Ａによる搬送方向上流側）に戻すための搬送路である。
【０２２０】
そして、本実施の形態では、後処理機４０の装置構成によって、記録媒体をプリンタ機７０から後処理機４０へ１回搬送したのみでは、ユーザが指定した種類の表面効果を実現することが困難な場合に、記録媒体を複数回プリンタ機７０から後処理機４０へ繰り返し搬送する。そして、搬送回数毎に設定されたグロッサー８０のオンオフを示す情報及びクリアトナー版データに基づいて、印刷を行う。
【０２２１】
図２４には、本実施の形態の画像形成システム１０Ｂを模式的に示した。また、図２５には、本実施の形態における印刷装置３０Ｃの構成を模式的に示した。
【０２２２】
本実施の形態の画像形成システム１０Ｂは、ＤＥＦ５０２と、印刷装置３０Ｃと、を備えている。印刷装置３０Ｃは、ＭＩＣ６０と、プリンタ機７０と、後処理機４０と、が接続されて構成されている。さらに、印刷装置３０Ｃには、搬送路２０が設けられている。
【０２２３】
搬送路２０は、搬送路２０Ａ、搬送路２０Ｂ、及び切替部２２を含んで構成されている。搬送路２０Ａは、記録媒体をプリンタ機７０側から後処理機４０側へとこの順の方向（図２４及び図２５中、矢印Ａ方向参照）に搬送する。搬送路２０Ｂは、記録媒体を、矢印Ａ方向は逆方向（図２４及び図２５中、矢印Ｂ方向）に搬送する。詳細には、搬送路２０Ｂは、搬送路２０Ａを搬送されることによって後処理機４０を通過した後の記録媒体を搬送路２０Ａからそらして、逆方向（矢印Ｂ方向）に搬送し、搬送路２０Ａにおけるプリンタ機７０より矢印Ａ方向の上流側に供給するように構成されている。
【０２２４】
なお、搬送路２０Ａ及び搬送路２０Ｂのうち、搬送路２０Ａは、印刷装置３０Ｃに設けられたプリンタ機７０及び後処理機４０の各処理装置によって各種処理（印刷や定着等）が行われる領域に順次記録媒体を搬送するように設けられている。一方、搬送路２０Ｂは、これらのプリンタ機７０及び後処理機４０の各処理装置による各処理が行われない領域において記録媒体を搬送するように設けられている。
【０２２５】
このため、記録媒体は、搬送路２０Ａを搬送されているときには、プリンタ機７０や後処理機４０によって各種処理が行われうる状態であり、搬送路２０Ｂを搬送されているときに該各種処理は行われない。
【０２２６】
搬送路２０Ａには、図示を省略する搬送部材が設けられており、搬送路２０Ａ上の記録媒体を、上記矢印Ａ方向に搬送させる。また、搬送路２０Ｂについても同様に、図示を省略する搬送部材が設けられており、搬送路２０Ｂ上の記録媒体を、上記矢印Ｂ方向に搬送させる。
【０２２７】
また、搬送路２０には、切替部２２が設けられている。切替部２２は、搬送路２０を搬送される記録媒体を、搬送路２０Ａ上を搬送させた後に印刷装置３０Ｃの外部へと排出させるか、または搬送路２０Ａを搬送されて後処理機４０を通過した記録媒体を搬送路２０Ｂで搬送させて再度搬送路２０Ａに戻すか、の何れかの状態に切り替える。切替部２２は、ＭＩＣ６０に電気的に接続されており、ＭＩＣ６０から入力された信号に応じて切替を行う。
【０２２８】
図２６には、本実施の形態の画像形成システム１０ＢにおけるＤＥＦ５０２の構成を示した。
【０２２９】
なお、本実施の形態における画像形成システムは、第１の実施の形態で説明した図１に示すＤＥＦ５０に代えて、図２６に示すＤＥＦ５０２を用いると共に、搬送路２０として搬送路２０Ａ、搬送路２０Ｂ、及び切替部２２を設けた以外は、第１の実施の形態と同じ構成である。このため、第１の実施の形態で説明した部材と同じ機能を有する部材については、同一の符号を付与して詳細な説明を省略する。
【０２３０】
ＤＥＦ５０２は、ハードウェア構成として、装置全体を制御するＣＰＵなどの制御部と、各種データや各種プログラムを記憶するＲＯＭやＲＡＭなどの主記憶部と、各種データや各種プログラムを記憶するＨＤＤなどの補助記憶部とを備えており、通常のコンピュータを利用したハードウェア構成となっている。
【０２３１】
機能的構成としては、ＤＦＥ５０２は、図２６に例示されるように、レンダリングエンジン５１と、ｓｉ１部５２と、ＴＲＣ５３と、ｓｉ２部５４と、ハーフトーンエンジン５５と、ｓｉ３部５７と、装置構成取得部５８と、クリアプロセッシング５６２と、を有する。クリアプロセッシング５６２は、表面効果種類判別部５６Ｄ、記憶部５６０Ｂ、置換部５６２Ａを備えている。
【０２３２】
ＤＥＦ５０２は、図７のクリアプロセッシング５６に代えてクリアプロセッシング５６２を備えた以外は、第１の実施の形態と同じ構成である。また、クリアプロセッシング５６２は、図７の置換部５６Ａに代えて置換部５６２Ａを備えた以外はクリアプロセッシング５６と同じ構成である。このため、第１の実施の形態で説明した各構成と同じ構成及び機能を示す部分には同じ符号を付与して詳細な説明を省略する。
【０２３３】
記憶部５６Ｂは、第１の実施の形態と同様に、表面効果選択テーブルや、設定テーブルを記憶する。
【０２３４】
第１の実施の形態では、設定テーブルは、後処理機４０の装置構成に応じて、ユーザ指定の表面効果のうちの、装置構成によって実現困難な種類の表面効果を実現可能な種類の表面効果に置き換えるための設定内容を格納していた。そして、この設定内容として、プリンタ機７０で用いるクリアトナー版データ、後処理機９０Ａで用いるクリアトナー版データ、後処理機９０Ｂで用いるクリアトナー版データ、及びグロッサー８０のオンオフを示すオンオフ情報を格納していた。
【０２３５】
本実施の形態では、この設定内容として、さらに、搬送路２０を何回往復させるかを示す回数情報と、各回数に対応する設定内容（プリンタ機７０で用いるクリアトナー版データ、後処理機９０Ａで用いるクリアトナー版データ、後処理機９０Ｂで用いるクリアトナー版データ、及びグロッサー８０のオンオフを示すオンオフ情報）が格納されている。
【０２３６】
すなわち、本実施の形態の設定テーブルは、後処理機４０の装置構成を示す装置構成情報に対応して記憶部５６Ｂに記憶されているが、各設定テーブルには、搬送路２０における記録媒体の搬送回数毎の設定内容（グロッサー８０のオンオフ、クリアトナー版データ）が格納されている。
【０２３７】
図２７には、一例として、後処理機４０（グロッサー８０、後処理機９０Ａ、後処理機９０Ｂ）のうちの、後処理機９０Ａが搭載されていない装置構成を示す装置構成情報に対応する設定テーブルを示した。
【０２３８】
図２７に示す設定テーブルには、各表面効果を実現するための搬送回数として、搬送回数２回を示す情報が格納されている(図２７中、Ｐ１、Ｐ２参照)。そして、ユーザ指定の表面効果を実現するために、各搬送回数に対応する設定内容が示されている。
【０２３９】
具体的には、図２７に示す設定テーブルには、ユーザ指定の表面効果がＰＧ（鏡面光沢）である領域については、搬送回数１回目の記録媒体の搬送時には（Ｐ１参照）、プリンタ機７０で用いるクリアトナー版データを“ＩＮＶ−１”とし、グロッサー８０をオンにし、後処理機９０Ｂで用いるクリアトナー版データを“ｎｏ  ｄａｔａ”（データ無し）とすることが示されている。そして、該領域について、搬送回数２回目の記録媒体の搬送時には（Ｐ２参照）、プリンタ機７０で用いるクリアトナー版データを“ｎｏ  ｄａｔａ”（データ無し）とし、グロッサー８０をオフにし、後処理機９０Ｂで用いるクリアトナー版データを“ｎｏ  ｄａｔａ”（データ無し）とすることが示されている。そして、このように、記録媒体の１回目の搬送時と２回目の搬送時とで、グロッサー８０のオンオフ設定及びクリアトナー版データを上記内容とすることによって、ユーザ指定の表面効果であるＰＧ（鏡面光沢）に対して、ＰＧ（鏡面光沢）が得られることが示されている。
【０２４０】
同様に、図２７に示す設定テーブルには、ユーザ指定の表面効果がＧ（ベタ光沢）である領域については、搬送回数１回目の記録媒体の搬送時には（Ｐ１参照）、プリンタ機７０で用いるクリアトナー版データを“ＩＮＶ−ｍ”とし、グロッサー８０をオンにし、後処理機９０Ｂで用いるクリアトナー版データを“ｎｏ  ｄａｔａ”（データ無し）とすることが示されている。そして、該領域について、搬送回数２回目の記録媒体の搬送時には（Ｐ２参照）、プリンタ機７０で用いるクリアトナー版データを“ベタ”とし、グロッサー８０をオフにし、後処理機９０Ｂで用いるクリアトナー版データを“ｎｏ  ｄａｔａ”（データ無し）とすることが示されている。そして、このように、記録媒体の１回目の搬送時と２回目の搬送時とで、グロッサー８０のオンオフ設定及びクリアトナー版データを上記内容とすることによって、ユーザ指定の表面効果であるＧ（ベタ光沢）に対して、Ｇ（ベタ光沢）が得られることが示されている。
【０２４１】
同様に、図２７に示す設定テーブルには、ユーザ指定の表面効果がＭ（網点マット）である領域については、搬送回数１回目の記録媒体の搬送時には（Ｐ１参照）、プリンタ機７０で用いるクリアトナー版データを“ｎｏ  ｄａｔａ”（データ無し）とし、グロッサー８０をオンにし、後処理機９０Ｂで用いるクリアトナー版データを“ｎｏ  ｄａｔａ”（データ無し）とすることが示されている。そして、該領域について、搬送回数２回目の記録媒体の搬送時には（Ｐ２参照）、プリンタ機７０で用いるクリアトナー版データを“ｈａｌｆｔｏｎｅ-ｎ”とし、グロッサー８０をオフにし、後処理機９０Ｂで用いるクリアトナー版データを“ｎｏ  ｄａｔａ”（データ無し）とすることが示されている。そして、このように、記録媒体の１回目の搬送時と２回目の搬送時とで、グロッサー８０のオンオフ設定及びクリアトナー版データを上記内容とすることによって、ユーザ指定の表面効果であるＭ（網点マット）に対して、Ｍ（網点マット）が得られることが示されている。
【０２４２】
同様に、図２７に示す設定テーブルには、ユーザ指定の表面効果がＰＭ（つや消し）である領域については、搬送回数１回目の記録媒体の搬送時には（Ｐ１参照）、プリンタ機７０で用いるクリアトナー版データを“ｎｏ  ｄａｔａ”（データ無し）とし、グロッサー８０をオンにし、後処理機９０Ｂで用いるクリアトナー版データを“ｎｏ  ｄａｔａ”（データ無し）とすることが示されている。そして、該領域について、搬送回数２回目の記録媒体の搬送時には（Ｐ２参照）、プリンタ機７０で用いるクリアトナー版データを“ｎｏ  ｄａｔａ”（データ無し）とし、グロッサー８０をオフにし、後処理機９０Ｂで用いるクリアトナー版データを“ベタ”とすることが示されている。そして、このように、記録媒体の１回目の搬送時と２回目の搬送時とで、グロッサー８０のオンオフ設定及びクリアトナー版データを上記内容とすることによって、ユーザ指定の表面効果であるＰＭ（つや消し）に対して、ＰＭ（つや消し）が得られることが示されている。
【０２４３】
なお、図２７に示す設定テーブルは一例であり、後処理機４０（グロッサー８０、後処理機９０Ａ、後処理機９０Ｂ）のうちの、後処理機９０Ａが搭載されていない装置構成を示す装置構成情報に対応する設定テーブルとして、図２８や図２９に示す設定テーブルを用いてもよい。そして、これらの（図２７〜図２９）の何れかの設定テーブルが、後処理機９０Ａが搭載されていない装置構成を示す装置構成情報に対応づけてクリアプロセッシング５６Ｂに記憶されていればよい。
【０２４４】
なお、図２８に示す設定テーブルは、図２７に示す設定テーブルと同様に、後処理機９０Ａが搭載されていない装置構成を示す装置構成情報に対応する設定テーブルである。ただし、図２８に示す設定テーブルは、後処理機４０として設けられた定着機として低温定着機を搭載した後処理機９０Ｂの定着温度がＭＩＣ６０から入力された制御信号によって切り替え可能である場合の設定テーブルである。この図２８に示す設定テーブルについては後述する。
【０２４５】
また、図２９に示す設定テーブルは、図２７に示す設定テーブルと同様に、後処理機９０Ａが搭載されていない装置構成を示す装置構成情報に対応する設定テーブルである。なお、図２９に示す設定テーブルは、ユーザ指定の表面効果であるＰＭ（つや消し）に対する、後処理機９０Ｂで用いるクリアトナー版データを、搬送回数１回目と２回目とで、図２７とは逆に設定したものである。
【０２４６】
置換部５６２Ａは、第１の実施の形態における置換部５６Ａと同様に、装置構成情報に対応する設定テーブルに基づいて、表面効果種類判別部５６Ｄから受け付けたユーザ指定の表面効果の種類を、印刷装置３０で実現可能な表面効果の種類に置き換える。ただし、この置換処理時に用いる設定テーブルとして、本実施の形態における設定テーブルを用いる。
【０２４７】
次に、本実施の形態に係る画像形成システムが行う光沢制御処理の手順について図３０を用いて説明する。
【０２４８】
本実施の形態では、ＤＦＥ５０２は、図３０に示すステップＳ１、ステップＳ２、ステップＳ３、ステップＳ４、ステップＳ５、ステップＳ５１、ステップＳ６０４、及びステップＳ６０６の処理をこの順に実行する。なお、図３０中、ステップＳ１〜ステップＳ５１の処理は、第１の実施の形態で図１５を用いて説明した内容と同じである。
【０２４９】
ステップＳ５１の処理を行った後に、ＤＥＦ５０２の置換部５６２Ａは、置換処理を行う（ステップＳ６０４）。なお、この置換処理は、本実施の形態における設定テーブルを用いる以外は、第１の実施の形態で説明したステップＳ６（図１５参照）の処理と同じである。
【０２５０】
具体的には、置換部５６２Ａは、上記ステップＳ４で取得した装置構成情報に対応する設定テーブルを記憶部５６Ｂから読み取る。そして、置換部５６２Ａは、読み取った設定テーブルにおける、印刷装置３０に搭載されている各装置（プリンタ機７０と、グロッサー８０、後処理機９０Ａ、及び後処理機９０Ｂの少なくとも１つ）の各々に対応する設定（グロッサー８０のオンオフ、各クリアトナー版データ）を、上記ステップＳ５で取得したユーザ指定の表面効果の種類毎に、且つ搬送回数毎に読み取る。そして、搭載されている後処理機４０ごとのクリアトナー版データの作成や、グロッサー８０のオンオフの設定を行う。
【０２５１】
例えば、装置構成情報として、グロッサー８０及び後処理機９０Ｂの搭載を示す装置構成情報を上記ステップＳ４で取得したとする。そして、記憶部５６Ｂには、該装置構成情報に対応する設定テーブルとして、図２７に示す設定テーブルが記憶されていたとする。
【０２５２】
この場合には、置換部５６２Ａは、該読み取った設定テーブルに示される搬送回数１回目（図２７中、Ｐ１参照）に設定されているグロッサー８０のオンオフを示す情報がオンであることから、搬送回数１回目に対応する情報としてグロッサー８０をオンに設定する。
【０２５３】
そして、置換部５６２Ａは、搬送回数１回目に対応する、プリンタ機７０で用いるクリアトナー版データとして、ユーザ指定の表面効果が鏡面光沢（ＰＧ）である領域については“ＩＮＶ−１”、ユーザ指定の表面効果がベタ光沢（Ｇ）である領域については“ＩＮＶ−ｍ”のクリアトナー版データを生成する。また、置換部５６２Ａは、ユーザ指定の表面効果が網点マット（Ｍ）及びつや消し（ＰＭ）である領域については“ｎｏ  ｄａｔａ”（データ無し）とする。このようにして、置換部５６２Ａは、搬送回数１回目に対応する、プリンタ機７０で用いるクリアトナー版データ（２ビットのクリアトナー版データ）を作成する。
【０２５４】
同様にして、置換部５６２Ａは、搬送回数１回目に対応する、後処理機９０Ｂで用いるクリアトナー版データを作成する。具体的には、置換部５６２Ａは、搬送回数１回目に対応する、後処理機９０Ｂで用いるクリアトナー版データとして、ユーザ指定の表面効果が鏡面光沢（ＰＧ）、ベタ光沢（Ｇ）、網点マット（Ｍ）、及びつや消し（ＰＭ）の全ての領域について“ｎｏ  ｄａｔａ”（データ無し）とする。すなわち、クリアトナー版データを作成しない。
【０２５５】
次に、置換部５６２Ａは、該読み取った設定テーブルに示される搬送回数２回目（図２７中、Ｐ２参照）に設定されているグロッサー８０のオンオフを示す情報がオフであることから、搬送回数２回目に対応する情報としてグロッサー８０をオフに設定する。
【０２５６】
そして、置換部５６２Ａは、搬送回数２回目に対応する、プリンタ機７０で用いるクリアトナー版データとして、ユーザ指定の表面効果が鏡面光沢（ＰＧ）である領域については“ｎｏ  ｄａｔａ”（データ無し）とする。また、置換部５６２Ａは、ユーザ指定の表面効果がベタ光沢（Ｇ）である領域については“ベタ”のクリアトナー版データを生成する。また、置換部５６２Ａは、ユーザ指定の表面効果が網点マット（Ｍ）である領域については、“ｈａｌｆｔｏｎｅ−ｎ”のクリアトナー版データを生成する。また、置換部５６２Ａは、ユーザ指定の表面効果がつや消し（ＰＭ）である領域については“ｎｏ  ｄａｔａ”（データ無し）とする。このようにして、置換部５６２Ａは、搬送回数２回目に対応する、プリンタ機７０で用いるクリアトナー版データ（２ビットのクリアトナー版データ）を作成する。
【０２５７】
同様にして、置換部５６２Ａは、搬送回数２回目に対応する、後処理機９０Ｂで用いるクリアトナー版データを作成する。具体的には、置換部５６２Ａは、搬送回数２回目に対応する、後処理機９０Ｂで用いるクリアトナー版データとして、ユーザ指定の表面効果が鏡面光沢（ＰＧ）、ベタ光沢（Ｇ）、及び網点マット（Ｍ）の領域について“ｎｏ  ｄａｔａ”（データ無し）とする。すなわち、クリアトナー版データを作成しない。また、置換部５６２Ａは、ユーザ指定の表面効果がつや消し（ＰＭ）である領域については、後処理機９０Ｂで用いるクリアトナー版データは“ベタ”とする。このようにして、置換部５６２Ａは、搬送回数２回目に対応する、後処理機９０Ｂで用いるクリアトナー版データ（２ビットのクリアトナー版データ）を作成する。
【０２５８】
図３０に戻り、次に、ＤＦＥ５０は、上記ステップＳ６０４で設定した全搬送回数を示す情報をＭＩＣ６０に出力する。すなわち、上記図２７に示す設定テーブルを用いて上記ステップＳ６０４の処理を行った場合には、搬送回数「２」を示す情報をＭＩＣ６０に出力する。また、ＤＥＦ５０２は、ステップＳ３で得たハーフトーン処理後のＣＭＹＫの各２ビットの有色版データと、ステップＳ６０４でプリンタ機７０用に生成した搬送回数１回目に対応する２ビットのクリアトナー版データとを統合する。そして、統合した画像データとプリンタ機７０を示す情報と搬送回数１回目を示す情報とを対応づけてＭＩＣ６０に出力する。また、ＤＥＦ５０２は、ステップＳ６０４で後処理機９０Ｂ用に生成した搬送回数１回目に対応するクリアトナー版データと、後処理機９０Ｂを示す情報と、搬送回数１回目を示す情報とを対応づけてＭＩＣ６０に出力する。また、ＤＥＦ５０は、上記ステップＳ６０４で設定した搬送回数１回目に対応するグロッサー８０のオン又はオフを示すオンオフ情報を、搬送回数１回目を示す情報に対応づけてＭＩＣ６０に対して出力する。さらに、ＤＥＦ５０は、上記ステップＳ６０４で生成した搬送回数２回目に対応する２ビットのクリアトナー版データと、搬送回数２回目を示す情報と、対応するプリンタ機７０または後処理機９０Ｂを示す情報を対応づけてＭＩＣ６０に出力する。また、ＤＥＦ５０２は、上記ステップＳ６０４で設定した搬送回数２回目に対応するグロッサー８０のオン又はオフを示すオンオフ情報を、搬送回数２回目を示す情報に対応づけてＭＩＣ６０に対して出力する（ステップＳ６０６）。その後、本ルーチンを終了する。
【０２５９】
なお、置換部５６２Ａが、上記ステップＳ６０４で搬送回数３回以上に対応するデータを作成した場合には、上記ステップＳ６０６の処理において、各搬送回数に対応するデータを上記と同様にしてＭＩＣ６０に対して出力する。
【０２６０】
ＭＩＣ６０は、上記ステップＳ６０６の処理によってＤＥＦ５０２から出力されたデータに基づいて、以下の処理を行う。
【０２６１】
図３１には、本実施の形態のＭＩＣ６０で行われる具体的な処理を示した。なお、図３１には、上記ステップＳ６０４において、上記図２４に示す設定テーブルに基づいた処理が行われた場合（すなわち、搬送回数２回分のデータの作成及び設定が行われた場合）における、ＭＩＣ６０の処理の一例を示した。
【０２６２】
図３１に示すように、まず、ＭＩＣ６０は、ＤＥＦ５０２から出力されたデータに含まれる搬送回数を示す情報を読み取る。そして、搬送回数１回目（図３１中、１パス目参照）の処理を行う。
【０２６３】
具体的には、ＭＩＣ６０は、搬送回数１回目に対応するグロッサー８０のオンオフを示す情報に基づいて、グロッサー８０の設定を行う。ここでは、上述のように、搬送回数１回目に対応するグロッサー８０の設定はオンとなっているので、オンに設定する（ステップＳ３０１）。
【０２６４】
次に、ＭＩＣ６０は、ＤＥＦ５０２から出力されたデータに含まれる、搬送回数１回目を示す情報に対応する画像データやクリアトナー版データを、対応するプリンタ機７０や後処理機４０へ送信する（ステップ３０２）。
【０２６５】
具体的には、ＭＩＣ６０は、ＤＥＦ５０２から出力されたデータに含まれる、搬送回数１回目及びプリンタ機７０を示す情報に対応づけられた、統合された画像データ（ステップＳ３で得たハーフトーン処理後のＣＭＹＫの各２ビットの有色版データと、搬送回数１回目に対応する２ビットのクリアトナー版データとを統合したもの）を、プリンタ機７０へ出力する。また、ＭＩＣ６０は、ＤＥＦ５０２から出力されたデータに含まれる、搬送回数１回目及び後処理機９０Ｂを示す情報に対応づけられたクリアトナー版データを、後処理機９０Ｂへ出力する。
【０２６６】
プリンタ機７０は、ＭＩＣ６０から出力されたＣＭＹＫの有色版データ及びクリアトナー版データを用いて、露光器から光ビームを照射して各トナーに応じたトナー像を感光体上に形成してこれを記録媒体に転写する。これによって記録媒体に、ＣＭＹＫのトナーの他クリアトナーが付着されて、画像が形成される。
【０２６７】
その後、搬送路２０Ａに沿って記録媒体が搬送されて（図２４及び図２５中、矢印Ａ方向）グロッサー８０の位置に到ると、グロッサー８０をオンとなっている場合には、グロッサー８０が、当該記録媒体を再定着する。
【０２６８】
さらに、搬送路２０Ａに沿って記録媒体が搬送されて後処理機９０Ｂの位置に到ると、後処理機９０Ｂでは、ＭＩＣ６０から受け付けたクリアトナー版データに応じた定着処理を行う。
【０２６９】
次に、ＭＩＣ６０は、切替部２２へ用紙ループ指示を示す信号を出力する（ステップＳ３０３）。用紙ループ指示とは、記録媒体を繰り返し再度搬送路２０Ａへ搬送させることを示す。なお、ＭＩＣ６０は、ＤＥＦ５０２から受け付けたデータに含まれる搬送回数を示す情報が２以上であるときに、この処理を行う。
【０２７０】
該用紙ループ指示を示す信号を受け付けた切替部２２は、搬送路２０Ａを搬送されて後処理機４０の設けられている位置を通過した後の（すなわち、後処理機４０として搭載されている全ての装置による処理が行われた後）記録媒体を、搬送路２０Ｂを介して矢印Ｂ方向に搬送して、再度、搬送路２０Ａにおける搬送方向（矢印Ａ方向）のプリンタ機７０より上流側へ搬送させる。具体的には、該搬送が行われるように、切替部２２は、搬送路２０Ａ及び搬送路２０Ｂに沿って設けられている図示を省略する搬送部材を制御する。
【０２７１】
これによって、上記プリンタ機７０及び後処理機４０による処理の行われた記録媒体が再度プリンタ機７０や後処理機４０によって処理されるように、記録媒体が戻される。
【０２７２】
次に、ＭＩＣ６０は、搬送回数２回目に対応する処理を行う（図３１中、２パス目参照）。
【０２７３】
具体的には、ＭＩＣ６０は、ＤＥＦ５０２から出力されたデータに含まれる搬送回数２回目に対応するグロッサー８０のオンオフを示す情報に基づいて、グロッサー８０をオフに設定する（ステップＳ３０４）。
【０２７４】
次に、ＭＩＣ６０は、ＤＥＦ５０２から出力されたデータに含まれる、搬送回数２回目を示す情報に対応するクリアトナー版データを、対応するプリンタ機７０や後処理機４０へ送信する（ステップ３０５）。
【０２７５】
具体的には、ＭＩＣ６０は、ＤＥＦ５０２から出力されたデータに含まれる、搬送回数２回目及びプリンタ機７０を示す情報に対応づけられたクリアトナー版データを、プリンタ機７０へ出力する。また、ＭＩＣ６０は、ＤＥＦ５０２から出力されたデータに含まれる、搬送回数２回目及び後処理機９０Ｂを示す情報に対応づけられたクリアトナー版データを、後処理機９０Ｂへ出力する。
【０２７６】
プリンタ機７０は、ＭＩＣ６０から出力されたクリアトナー版データを用いて、露光器から光ビームを照射してクリアトナーに応じたトナー像を感光体上に形成してこれを記録媒体に転写する。これによって、上記搬送回数１回目の搬送によって搬送回数１回目に対応する各種画像形成や光沢処理の行われた記録媒体にクリアトナーが転写される。
【０２７７】
その後、搬送路２０Ａに沿って記録媒体が搬送されて（図２４及び図２５中、矢印Ａ方向）グロッサー８０の位置に到ると、グロッサー８０をオフとなっている場合には、グロッサー８０による加熱及び加圧処理が行われずに、さらに、後処理機９０Ｂに搬送される。
【０２７８】
そして、搬送路２０Ａに沿って記録媒体が搬送されて後処理機９０Ｂの位置に到ると、後処理機９０Ｂでは、ＭＩＣ６０から受け付けたクリアトナー版データに応じた定着処理を行う。
【０２７９】
このように、本実施の形態の画像形成システムでは、後処理機４０の装置構成によって、記録媒体をプリンタ機７０から後処理機４０へ１回搬送したのみでは、ユーザが指定した種類の表面効果を実現することが困難な場合に、記録媒体を複数回プリンタ機７０から後処理機４０へ繰り返し搬送させる。そして、搬送回数毎に設定されたグロッサー８０のオンオフを示す情報及びクリアトナー版データに基づいて、ＣＭＹＫトナーおよびクリアトナーを付着させた画像の形成や、クリアトナーによるトナー像の形成や、グロッサー８０による再定着が行われる。
【０２８０】
このため、後処理機の一部が搭載されていない場合であっても、ユーザの手間を掛けることなく、画像が形成される記録媒体に対してクリアトナーによる表面効果を与えることができる。
【０２８１】
なお、本実施の形態では、後処理機９０Ｂに設けられた定着機における定着温度の変更は行わない場合を説明したが、後処理機９０Ｂとして、定着温度を切り替え可能な定着機を有する後処理機９０Ｂを設けた構成の印刷装置３０Ｃとしてもよい。この場合には、ＤＥＦ５０２は、この後処理機９０Ｂに設けられた定着機による定着温度を示す情報を含む設定テーブルを用いて、上記光沢制御処理を行ってもよい。
【０２８２】
ここで、上記図２８に戻り、図２８に示す設定テーブルの概要を説明する。図２８に示す設定テーブルは、図２７に示す設定テーブルと同様に、後処理機９０Ａが搭載されていない装置構成を示す装置構成情報に対応する設定テーブルである。なお、図２８に示す設定テーブルは、定着機として低温定着機を搭載した後処理機９０Ｂの定着温度がＭＩＣ６０から入力された制御信号によって切り替え可能である場合の設定テーブルである。
【０２８３】
具体的には、図２８に示す設定テーブルでは、ユーザ指定の表面効果がＰＧ（鏡面光沢）である領域、およびＰＭ（つや消し）である領域については、図２４と同じ設定である。しかし、図２８に示す設定テーブルでは、ユーザ指定の表面効果がＧ（ベタ光沢）である場合には、搬送回数１回目（Ｐ１参照）の記録媒体の搬送時における、後処理機９０Ｂで用いるクリアトナー版データを”ベタ”とするとともに、後処理機９０Ｂに搭載された定着機における定着温度を通常温度に設定することが示されている。また、図２８に示す設定テーブルでは、ユーザ指定の表面温度がＭ（網点マット）である場合には、搬送回数１回目（Ｐ１参照）の転写時の搬送時における、後処理機９０Ｂで用いるクリアトナー版データを”ｈａｌｆｔｏｎｅ−ｎ”とするとともに、後処理機９０Ｂにおける定着機における定着温度を通常温度に設定することが示されている。
【０２８４】
このため、後処理機９０Ｂに搭載された定着機の定着温度が変更可能な構成である場合には、ＤＥＦ５０２の置換部５６２Ａでは、装置構成情報に対応する設定テーブルとして、後処理機９０Ｂに搭載された定着機の温度設定を示す情報を含む設定テーブルに基づいて、クリアトナー版データの生成やグロッサー８０のオンオフの設定を行なえばよい。なお、該後処理機９０Ｂの定着温度が変更可能な構成であることを示す情報は、該情報を含む装置構成情報を、ＭＩＣ６０及び装置構成取得部５８を介して、クリアプロセッシング５６２に入力されるようにすればよい。また、この場合には、ＤＥＦ５０２からＭＩＣ６０に上記ステップＳ６０６（図３０参照）の処理におけるデータ出力時には、この後処理機９０Ｂの温度設定を示す情報を含んだデータを送信するようにすればよい。そして、ＭＩＣ６０では、ＤＥＦ５０２から受け付けたデータに含まれる後処理機９０Ｂを示す情報に対応づけられたクリアトナー版データに、さらに温度設定を示す情報が含まれている場合には、この温度設定を示す情報も後処理機９０Ｂに送信すればよい。そして、後処理機９０Ｂは、ＭＩＣ６０から受け付けた情報に温度設定を示す情報が含まれている場合には、温度設定を示す情報によって示される温度で定着機による定着を行えばよい。
【０２８５】
また、本実施の形態では、搬送路２０Ｂは、搬送路２０Ａにおける後処理機４０より搬送方向（図２４および図２５中、矢印Ａ方向参照）下流側に搬送された記録媒体を、該搬送路２０Ａにおける、プリンタ機７０より該搬送方向上流側に戻すように設けられている場合を説明した。しかし、この搬送路２０Ａは、搬送路２０Ａにおける、グロッサー８０と後処理機４０との間の一から、該搬送路２０Ａにおけるプリンタ機７０より該搬送方向上流側に設けた構成であってもよい。
【０２８６】
また、後処理機９０Ｂに搭載された定着機が、上述のように定着温度を変更可能な構成である場合には、搬送路２０Ｂは、搬送路２０Ａにおける後処理機４０より該搬送方向下流側に搬送された記録媒体を、該搬送路２０Ａにおける、グロッサー８０と後処理機４０との間の領域に戻すように構成されていてもよい。
【０２８７】
さらに、プリンタ機７０の本体に設けられたトナー像を定着させるための定着機（図示省略）による定着温度を設定可能な構成としてもよい。この場合には、搬送路２０Ａに沿ってグロッサー８０の下流側にまで搬送された記録媒体をプリンタ機７０の上流側に戻し、プリンタ機７０の定着機の定着温度の切り替え（低温または通常温度）、及びグロッサー８０のオンオフを切り替えることが設定された設定テーブルを用意する。そして、ＤＥＦ５０２では、該設定テーブルに基づいて、処理を行うようにすればよい。
【０２８８】
（第４の実施の形態）
次に、印刷制御装置、画像形成システム、印刷制御方法、記録媒体製造方法及び印刷制御プログラムの第４の実施の形態について説明する。なお、上述の第１の実施の形態と共通する部分については、同一の符号を使用して説明したり、説明を省略する場合がある。
【０２８９】
本実施の形態においては、上記光沢制御版データによって示されるユーザ指定の表面効果とは別に、ユーザが、全効果付与、光沢優先、及び種類優先のいずれかを選択する。そして、本実施の形態では、このユーザによって選択された選択内容に応じて、ユーザ指定の表面効果の置換処理を行う。
【０２９０】
なお、全効果付与とは、後処理機４０のすべてがそろっている印刷装置で実現可能な複数種類の表面効果の付与を示す。なお、光沢優先および種類優先の定義については、上記実施の形態で説明したため省略する。
【０２９１】
図３２には、本実施の形態の画像形成システムにおけるＤＥＦ５０４の構成を示した。
なお、本実施の形態における画像形成システムは、第３の実施の形態で説明した、搬送路２０Ａ、搬送路２０Ｂ、および切替部２２を有する印刷装置３０Ｃ（図２５参照）を備えた構成の画像形成システム１０Ｂ（図２４参照）において、該図２４に示すＤＥＦ５０２に代えて、図３２に示すＤＥＦ５０４を用いた以外は、第３の実施の形態と同じ構成である。このため、画像形成システムにおけるＤＥＦ５０４以外の構成については詳細な説明をここでは省略する。
【０２９２】
ＤＥＦ５０４は、ハードウェア構成として、装置全体を制御するＣＰＵなどの制御部と、各種データや各種プログラムを記憶するＲＯＭやＲＡＭなどの主記憶部と、各種データや各種プログラムを記憶するＨＤＤなどの補助記憶部とを備えており、通常のコンピュータを利用したハードウェア構成となっている。
【０２９３】
機能的構成としては、ＤＦＥ５０４は、図３２に例示されるように、レンダリングエンジン５１と、ｓｉ１部５２と、ＴＲＣ５３と、ｓｉ２部５４と、ハーフトーンエンジン５５と、ｓｉ３部５７と、装置構成取得部５８と、クリアプロセッシング５６４と、を有する。クリアプロセッシング５６４は、表面効果種類判別部５６Ｄ、記憶部５６０Ｂ、置換部５６４Ａを備えている。
【０２９４】
ＤＥＦ５０４は、クリアプロセッシング５６２（図２６参照）に代えてクリアプロセッシング５６４を備えた以外は、第３の実施の形態と同じ構成である。また、クリアプロセッシング５６４は、置換部５６２Ａに代えて置換部５６４Ａを備えた以外はクリアプロセッシング５６２（図２６参照）と同じ構成である。このため、第３の実施の形態で説明した各構成と同じ構成及び機能を示す部分には同じ符号を付与して詳細な説明を省略する。
【０２９５】
ＤＦＥ５０４は、さらに、ＵＩ（Ｕｓｅｒ  Ｉｎｔｅｒｆａｃｅ）部５９Ａを備えている。ＵＩ部５９Ａは、各種情報の表示や各種指示の受け付けを行う。本実施の形態では、ＵＩ部５９Ａには、図３３に示す光沢効果の選択を、ユーザに対して促すための選択画面２２Ｂが表示される。本実施の形態では、「全効果付与」、「光沢優先」、及び「種類優先」の何れかをユーザが選択するための選択画面２２ＢがＵＩ部５９Ａに表示される。
【０２９６】
そして、ユーザがＵＩ部５９Ａにおける選択ボタン（図示省略）の表示箇所を指示することによって、「全効果付与」、「光沢優先」、及び「種類優先」の何れかが選択された後に、ＵＩ部５９Ａに表示されている決定ボタン（図示省略）の表示箇所が指示される。これによって、ＵＩ部５９Ａからクリアプロセッシング５６４の置換部５６４Ａに、ユーザによって指示された「全効果付与」、「光沢優先」、または「種類優先」を示す信号が出力される。
【０２９７】
置換部５６４Ａでは、ＵＩ部５９Ａから光沢優先を示す信号を受け付けたときには、グロッサー８０をオンに設定する。また、置換部５６４Ａでは、ＵＩ部５９Ａから種類優先を示す信号を受け付けたときには、グロッサー８０をオフに設定する。また、置換部５６４Ａでは、ＵＩ部５９Ａから全効果付与を示す信号を受け付けたときには、上記第４の実施の形態で説明したように、記録媒体を複数回プリンタ機７０から後処理機４０へ繰り返し搬送するように置換処理を行う。
【０２９８】
そして、搬送回数毎に設定されたグロッサー８０のオンオフを示す情報及びクリアトナー版データに基づいて、印刷を行う。
【０２９９】
記憶部５６０Ｂは、第３の実施の形態と同様に、表面効果選択テーブルや、設定テーブルを記憶する。
【０３００】
すなわち、記憶部５６０Ｂは、設定テーブルとして、装置構成情報、及び光沢効果の種類に対応する、設定テーブルを記憶する。
【０３０１】
本実施の形態では、記憶部５６０Ｂは、装置構成情報に対応する設定テーブルとして、後処理機４０（グロッサー８０、後処理機９０Ａ、後処理機９０Ｂ）が全て搭載されている装置構成を示す装置構成情報と、光沢効果の種類と、に対応する設定テーブルを記憶する。また、記憶部５６０Ｂは、装置構成情報に対応する設定テーブルとして、グロッサー８０及び後処理機９０Ｂが搭載されている装置構成を示す装置構成情報と、光沢効果の種類と、に対応する設定テーブルを記憶する。また、記憶部５６０Ｂは、装置構成情報に対応する設定テーブルとして、グロッサー８０が搭載されている装置構成を示す装置構成情報と、光沢効果の種類と、に対応する設定テーブルを記憶する。
【０３０２】
そして、さらに、本実施の形態では、光沢効果の種類として、「光沢優先」、「種類優先」に加えて、「全効果付与」を含む。
【０３０３】
置換部５６４Ａは、第２の実施の形態における置換部５６０Ａと同様に、設定テーブルに基づいて、表面効果種類判別部５６Ｄから受け付けたユーザ指定の表面効果の種類を、印刷装置３０で実現可能な表面効果の種類に置き換える。ただし、本実施の形態では、置換部５６４Ａは、この置換処理時に用いる設定テーブルとして、ＵＩ部５９Ａを介してユーザから指示された光沢効果（光沢優先または種類優先）と装置構成情報の双方に対応する設定テーブルを用いて置換処理を行う。
【０３０４】
次に、本実施の形態に係る画像形成システムが行う光沢制御処理の手順について図３４を用いて説明する。
【０３０５】
本実施の形態では、ＤＦＥ５０４は、図３４に示すステップＳ１、ステップＳ２、ステップＳ３、ステップＳ４、ステップＳ５、ステップＳ７００、ステップＳ７０１、ステップＳ７０２、及びステップＳ６０６の処理をこの順に実行する。なお、図３４中、ステップＳ１〜ステップＳ５の処理は、第１の実施の形態で図１５を用いて説明した内容と同じである。このため、ここでは異なる処理であるステップＳ７００〜ステップＳ６０６の処理の詳細を説明する。
【０３０６】
ステップＳ５の処理を行った後に、ＤＥＦ５０４の置換部５６４Ａは、光沢効果読取り処理を行う（ステップＳ７００）。
【０３０７】
なお、上述のように、上記ＵＩ部５９Ａがユーザによって操作指示されて、選択画面２２Ｂを介して全効果付与、光沢優先、または種類優先を示す信号がクリアプロセッシング５６４の置換部５６４Ａに出力される。この全効果付与、光沢優先、または種類優先を示す信号を受け付けた置換部５６４Ａは、該信号を受け付けたときに、該信号を記憶部５６０Ｂに記憶するものとする。そして、置換部５６４Ａは、新しくＵＩ部５９Ａから該信号を受け付ける度に、該信号を記憶部５６０Ｂに上書きして記憶するものとする。
【０３０８】
そして、ステップＳ７００の処理時には、置換部５６４Ａは、該信号を記憶部５６０Ｂから読み取ることによって、光沢効果としての、光沢優先または種類優先を示す信号を読み取る。
【０３０９】
次に、置換部５６４Ａが、上記ステップＳ５で取得した装置構成情報、及び上記ステップＳ７００で読み取った光沢効果に対応する設定テーブルを記憶部５６０Ｂから読み取る（ステップＳ７０１）。
【０３１０】
次に、置換部５６４Ａは、ステップＳ７０１で読み取った設定テーブルを用いて、置換処理、すなわち装置構成によって実現困難な種類の表面効果を実現可能な種類の表面効果に置き換えたクリアトナー版データの生成及びグロッサー８０のオンオフの設定を行う（ステップＳ７０２）。
【０３１１】
そして、このステップＳ７０２において、置換部５６４Ａは、上記ステップＳ７００で読み取った光沢効果が光沢優先を示す信号である場合には、グロッサー８０のオンを示す情報と、上記ステップＳ５で取得した装置構成情報と、の双方に対応する設定テーブルを用いて、置換処理を行う。一方、このステップＳ７０２において、置換部５６４Ａは、上記ステップＳ７００で読み取った光沢効果が種類優先を示す信号である場合には、グロッサー８０のオフを示す情報と、上記ステップＳ５で取得した装置構成情報と、の双方に対応する設定テーブルを用いて、置換処理を行う。また、置換部５６４Ａは、上記ステップＳ７００で読み取った光沢効果が全効果付与を示す信号である場合には、全効果付与を示す情報と、上記ステップＳ５で取得した装置構成情報と、の双方に対応する設定テーブルを用いて、置換処理を行う。
【０３１２】
その後、置換部５６４Ａは、上記ステップＳ７００で読み取った光沢効果が光沢優先または種類優先を示す信号である場合には、第２の実施の形態で説明したステップＳ７（図２２参照）と同じ処理を行った後に本ルーチンを終了する。一方、置換部５６４Ａは、上記ステップＳ７００で読み取った光沢効果が全効果付与を示す信号である場合には、第３の実施の形態で説明したステップＳ６０６（図３０参照）と同じ処理を行った後に本ルーチンを終了する。
【０３１３】
図３５には、ＭＩＣ６０で行われる処理を示した。なお、図３５には、後処理機４０として、グロッサー８０と、後処理機９０Ａ及び後処理機９０Ｂの少なくとも一方が搭載されている印刷装置のＭＩＣ６０にデータを送信した場合を示した。
【０３１４】
ＭＩＣ６０は、ＤＦＥ５０４から上記処理によってデータが入力されると、入力されたデータに含まれる選択された光沢効果の種類を示す情報が、全効果付与を示す情報であるか否かを判別する（ステップＳ４０１）。
【０３１５】
そして、光沢効果の種類を示す情報が、全効果付与を示す情報である場合には（ステップＳ４０１：Ｙｅｓ）、上記第３の実施の形態で説明したステップＳ３０１〜ステップＳ３０５の処理（図３１参照）を実行した後に、本ルーチンを終了する。
【０３１６】
一方、光沢効果の種類を示す情報が、全効果付与を示す情報ではない場合には（ステップＳ４０１：Ｎｏ）、上記第２の実施の形態で説明したステップＳ２０１〜ステップＳ２０５の処理（図２３参照）を行った後に、本ルーチンを終了する。
【０３１７】
従って、本実施の形態では、後処理機の一部が搭載されていない場合であっても、ユーザの手間を掛けることなく、画像が形成される記録媒体に対してクリアトナーによる表面効果を与えることができる。
【０３１８】
（第５の実施の形態）
第１〜４の実施の形態では、ホスト装置１０で印刷データを生成し、ＤＦＥ５０にクリアプロセッシング５６を設けてＤＦＥ５０で、クリアトナー版データの生成処理を行うように構成したが、これに限定されるものではない。
【０３１９】
すなわち、一の装置で行っていた複数の処理のいずれかを、一の装置とネットワークを介して接続する1以上の他の装置で行う構成にしてもよい。
【０３２０】
その一例として、本実施の形態に係る画像形成システムでは、ＤＥＦの機能の一部を、ネットワーク上のサーバ装置上に実装している。
【０３２１】
図３６は、本実施の形態に係る画像形成システムの構成を例示する図である。図３６に示すように、本実施の形態の画像形成システムは、ホスト装置４９と、ＤＦＥ３０５０と、ＭＩＣ６０と、印刷装置３０と、を備えている。
【０３２２】
本実施の形態では、ＤＦＥ３０５０がインターネット等のネットワークを介して、サーバ装置３０６０と接続された構成となっている。また、本実施の形態では、第１の実施の形態のＤＦＥ５０のクリアプロセッシング５６の機能を、サーバ装置３０６０に設けた構成となっている。
【０３２３】
ここで、ホスト装置４９、ＤＦＥ３０５０、ＭＩＣ６０、及び印刷装置３０の接続構成は、第１の実施の形態と同様である。
【０３２４】
すなわち、具体的には、第５の実施の形態では、ＤＦＥ３０５０がインターネット等のネットワーク（クラウド）を介して、単一のサーバ装置３０６０に接続し、サーバ装置３０６０は、第１の実施の形態のＤＦＥ５０のクリアプロセッシング５６の機能を設け、サーバ装置３０６０で、クリアトナー版データの生成処理を行うように構成している。
【０３２５】
まず、サーバ装置３０６０について説明する。図３７は、第５の実施の形態にかかるサーバ装置３０６０の機能的構成を示すブロック図である。サーバ装置３０６０は、記憶部３０７０と、表面効果種類判別部３０６２と、置換部３０６３と、記憶部３０７０と、通信部３０６５と、を主に備えている。
【０３２６】
記憶部３０７０は、ＨＤＤやメモリ等の記憶媒体であり、表面効果選択テーブルや、設定テーブルを記憶する。なお、記憶部３０７０に記憶されている情報は、上記実施の形態で説明した記憶部５６Ｂ（図７、図２６参照）や記憶部５６０Ｂ（図１８）と同じである。すなわち、記憶部３０７０には、装置構成情報に対応する設定テーブルが記憶されている。
【０３２７】
通信部３０６５は、ＤＦＥ３０５０との間で各種データや要求の送受信を行う。より具体的には、通信部３０６５は、ＤＦＥ３０５０から、光沢制御版データや、クリア版データや、装置構成情報等を受信する。なお、光沢制御版データや、クリア版データや、装置構成情報は、上記実施の形態と同様である。また、通信部３０６５は、生成したクリアトナー版データやオンオフ情報をＤＦＥ３０５０へ送信する。
【０３２８】
表面効果種類判別部５６Ｄは、第１の実施の形態における表面効果種類判別部と同様の機能を有し、通信部３０６５を介してＤＦＥ３０５０受け付けた光沢制御版データを用いて、表面効果選択テーブルを参照して、光沢制御版データを構成する各画素の表す濃度値（画素値）に対する表面効果を判別する。そして、判別結果を置換部３０６３へ出力する。
【０３２９】
置換部３０６３は、第１の実施の形態における置換部と同様の機能を有する。置換部３０６３は、表面効果種類判別部３０６２から受け付けた、ユーザ指定の表面効果の種類を、ＤＦＥ３０５０から通信部３０６５を介して取得した装置構成情報に対応する設定テーブルに基づいて、印刷装置３０で実現可能な表面効果の種類に置き換える。これによって、置換部３０６３は、グロッサー８０のオンオフを設定すると共に、クリアトナー版データを生成する。
【０３３０】
次に、ＤＦＥ３０５０について説明する。図３８は、第５の実施の形態のＤＦＥ３０５０の機能的構成を示すブロック図である。本実施の形態のＤＦＥ３０５０は、レンダリングエンジン５１と、ｓｉ１部３０５２と、ＴＲＣ５３と、ｓｉ２部３０５４と、ハーフトーンエンジン５５と、ｓｉ３部３０５７と、装置構成取得部３０５８と、を主に備えている。ここで、レンダリングエンジン５１、ＴＲＣ５３、ハーフトーンエンジン５５、の機能および構成については第１の実施の形態のＤＦＥ５０と同様である。
【０３３１】
ｓｉ１部３０５２は、ＣＭＹＫの各８ビットの有色版データをＴＲＣ５３に出力し、８ビットの光沢制御版データとクリア版データを、図示を省略するインターフェースを介してサーバ装置３０６０へ出力する。
【０３３２】
ｓｉ２部３０５４は、ＴＲＣ５３でガンマ補正されたＣＭＹＫの各８ビットの有色版データを、インバースマスクを生成するためのデータとしてサーバ装置３０６０へ出力する。また、ｓｉ２部３０５４は、ガンマ補正後のＣＭＹＫの各８ビットの有色版データをハーフトーンエンジン５５に出力する。
【０３３３】
また、ｓｉ３部３０５７は、ハーフトーン処理後のＣＭＹＫの各２ビットの有色版データと、図示を省略するインターフェースを介してサーバ装置３０６０から受信した２ビットのクリアトナー版データとを統合し、統合した画像データをＭＩＣ６０に出力する。また、ｓｉ３部３０５７は、クリアプロセッシング５６が出力したグロッサー８０に対するオンオフ情報もＭＩＣ６０に出力する。
【０３３４】
装置構成取得部３０５８は、第１の実施の形態における装置構成取得部と同様の機能を有する。装置構成取得部３０５８では、取得した装置構成情報を、サーバ装置３０６０へ送信する。
【０３３５】
次に、本実施の形態に係る画像形成システムが行う光沢制御処理の手順について図３９を用いて説明する。
【０３３６】
ＤＦＥ３０５０は、ホスト装置４９から画像データを受信すると（ステップＳ４６００）、これを言語解釈して、ベクター形式で表現される画像データをラスタ形式に変換すると共に、ＲＧＢ形式等で表現された色空間をＣＭＹＫ形式等の色空間に変換して、ＣＭＹＫの各８ビットの有色版データ及び８ビットの光沢制御版データを得る（ステップＳ４６０２）。
【０３３７】
次に、ＤＦＥ３０５０は、ステップＳ４６０２で生成された光沢制御版データを、サーバ装置３０６０へ送信する（ステップＳ４６０４）。
【０３３８】
次に、ＤＦＥ３０５０は、ＣＭＹＫの各８ビットの有色版データに対してキャリブレーションにより生成された１Ｄ＿ＬＵＴのガンマカーブでガンマ補正を行い、ガンマ補正後の画像データに対して、プリンタ機７０に出力するための、例えば、ＣＭＹＫ各２ビットのデータ形式に変換するハーフトーン処理を行い、ハーフトーン処理後のＣＭＹＫの各２ビットの有色版データを得る（ステップＳ４６０６）。
【０３３９】
次に、装置構成取得部３０５８が、装置構成情報を取得する装置構成情報取得処理を実行する（ステップＳ４６０８）。なお、このステップＳ４６０８の装置構成取得処理は、第１の実施の形態で説明した装置構成情報取得処理と同じであるので説明を省略する。
【０３４０】
次に、装置構成取得部３０５８は取得した装置構成情報をサーバ装置３０６０へ送信する（ステップＳ４６１０）。
【０３４１】
次に、ＤＥＦ３０５０が、サーバ装置３０６０からクリアトナー版データと、グロッサー８０のオン又はオフを示すオンオフ情報と、を受信する（ステップＳ４６１２）。
【０３４２】
次に、ＤＦＥ３０５０は、ステップＳ４６０６で得たハーフトーン処理後のＣＭＹＫの各２ビットの有色版データと、ステップＳ４６１２でサーバ装置３０６０から受信したクリアトナー版データと、オンオフ情報とをＭＩＣ６０に対して出力する（ステップＳ４６１４）。
【０３４３】
これによって、本ルーチンを終了する。
【０３４４】
次に、サーバ装置３０６０で実行するクリアトナー版データ生成処理を説明する。
【０３４５】
図４０は、サーバ装置３０６０で実行するクリアトナー版データ生成処理を示すフローチャートである。
【０３４６】
まず、サーバ装置３０６０の通信部３０６５が、ＤＦＥ３０５０から光沢制御版データを受信する（ステップＳ４６２０）。次に、通信部３０６５が、ＤＦＥ３０５０から、装置構成情報を受信する（ステップＳ４６２２）。
【０３４７】
次に、表面効果種類判別部３０６２が、上記ステップＳ４６２０で受信した８ビットの光沢制御版データを用いて、光沢制御版データによって示される各画素値に対して指定された表面効果の種類を判別する（ステップＳ４６２４）。
【０３４８】
次に、置換部３０６３が、上記ステップＳ４６２２で取得した装置構成情報に対応する設定テーブルを記憶部３０７０から読み取る（ステップＳ４６２６）。
【０３４９】
次に、置換部３０６３が、上記ステップ４６２４で読み取った表面効果の種類、及びステップＳ４６２６で読み取った設定テーブルに基づいて、置換処理、すなわち装置構成によって実現困難な種類の表面効果を実現可能な種類の表面効果に置き換えたクリアトナー版データの生成及びグロッサー８０のオンオフの設定を行う（ステップＳ４６２８）。ステップＳ４６２８の置換処理は、第１の実施の形態と同様である。
【０３５０】
次に、通信部３０６５が、生成されたクリアトナー版データ及びオンオフ情報を、ＤＦＥ３０５０へ送信し（ステップＳ４６３０）、本ルーチンを終了する。
【０３５１】
このように本実施の形態では、クリアプロセッシングの機能を、サーバ装置３０６０に設けた構成とし、クリアトナー版データの生成を、クラウド上のサーバ装置３０６０で行っている。このため、第１の実施の形態の効果の他、複数のＤＦＥ３０５０が存在する場合でも、クリアトナー版データの生成を一括して行うことができ、管理者の便宜となる。
【０３５２】
なお、本実施の形態では、クラウド上の単一のサーバ装置３０６０に、クリアプロセッシングの機能を設け、サーバ装置３０６０で、クリアトナー版データの生成を行うように構成したが、これに限定されるものではない。
【０３５３】
例えば、クラウド上に２以上のサーバ装置を設け、上記処理を、２以上のサーバ装置で分散させて実行するように構成してもよい。図４１は、クラウド上に２つのサーバ（第１サーバ装置３８６０と第２サーバ装置３８６１）を設けたネットワーク構成図である。図４１の例では、第１サーバ装置３８６０と第２サーバ装置３８６１とで、表面効果種類判別処理や置換処理を分散して行うように構成する。
【０３５４】
なお、各処理の各サーバ装置への分散の形態はこれに限定されるものではなく、任意に行うことができる。
【０３５５】
また、ホスト装置４９で行う印刷データ生成処理や、ＤＦＥ３０５０で行うその他の処理の一部または全部をクラウド上の一つのサーバ装置に集中して設けたり、複数のサーバ装置に分散させて設けたりすることは任意に行うことができる。
【０３５６】
言い換えると、上述の例のように、一の装置で行っていた複数の処理のいずれかを、一の装置とネットワークを介して接続する１以上の他の装置で行う構成にすることができる。
【０３５７】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０３５８】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０３５９】
また、第５の実施の形態では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０３６０】
なお、本発明は、上記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０３６１】
図４２は、本実施形態のＤＦＥ５０、５００、５０２、５０４、３０５０や、サーバ装置３０６０、第１サーバ装置３８６０、第２サーバ装置３８６１のハードウェア構成例を示すブロック図である。本実施形態のＤＦＥ５０、５００、５０２、５０４、３０５０や、サーバ装置３０６０、第１サーバ装置３８６０、第２サーバ装置３８６１は、ＣＰＵなどの制御装置１０１０と、ＲＯＭ（Ｒｅａｄ  Ｏｎｌｙ  Ｍｅｍｏｒｙ）やＲＡＭなどの主記憶装置１０２０と、ＨＤＤ、ＣＤドライブ装置などの補助記憶装置１０３０と、ディスプレイ装置などの表示装置１０４０と、キーボードやマウスなどの入力装置１０５０と、を備えており、通常のコンピュータを利用したハードウェア構成となっている。
【０３６２】
本実施形態のＤＦＥ５０、５００、５０２、５０４、３０５０や、サーバ装置３０６０、第１サーバ装置３８６０、第２サーバ装置３８６１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０３６３】
また、本実施形態のＤＦＥ５０、５００、５０２、５０４、３０５０や、サーバ装置３０６０、第１サーバ装置３８６０、第２サーバ装置３８６１で実行されるプログラムを、インターネット等のネットワークに接続されたコンピュータ上に格納し、ネットワーク経由でダウンロードさせることにより提供するように構成してもよい。また、本実施形態のＤＦＥ５０、５００、５０２、５０４、３０５０や、サーバ装置３０６０、第１サーバ装置３８６０、第２サーバ装置３８６１で実行されるプログラムをインターネット等のネットワーク経由で提供または配布するように構成しても良い。また、本実施形態のＤＦＥ５０、５００、５０２、５０４、３０５０や、サーバ装置３０６０、第１サーバ装置３８６０、第２サーバ装置３８６１で実行される制御プログラムを、ＲＯＭ等に予め組み込んで提供するように構成してもよい。
【０３６４】
本実施形態のＤＦＥ５０、５００、５０２、５０４、３０５０や、サーバ装置３０６０、第１サーバ装置３８６０、第２サーバ装置３８６１で実行されるプログラムは、上述した各部（レンダリングエンジン５１、ｓｉ１部５２、ＴＲＣ５３、ｓｉ２部５４、ハーフトーンエンジン５５、ｓｉ３部５７、クリアプロセッシング５６、装置構成取得部５８、表面効果種類判別部３０６２、置換部３０６３、装置構成取得部３０５８）を含むモジュール構成となっており、実際のハードウェアとしてはＣＰＵ（プロセッサ）が上記記憶媒体から制御プログラムを読み出して実行することにより上記各部が主記憶装置上にロードされ、上記各部が主記憶装置上に生成されるようになっている。なお、上述の実施形態では、ＤＦＥ５０、５００、５０２、５０４、３０５０や、サーバ装置３０６０、第１サーバ装置３８６０、第２サーバ装置３８６１が本発明に係る処理を実行しているが、これに限らず、本発明に係る処理を実行する装置の種類は任意であり、例えばＰＣで処理を実行することもできる。
【０３６５】
上述した実施の形態において、画像形成システムは、ＤＦＥ５０（５０、５００、５０２、５０４）、ＭＩＣ６０、プリンタ機７０、及び後処理機４０を備えるように構成したが、これに限らない。例えば、ＤＦＥ５０、ＭＩＣ６０及びプリンタ機７０を一体的に形成して１つの画像形成装置として構成するようにしてもよいし、更に、グロッサー８０及び後処理機９０を備えた画像形成装置として形成するようにしてもよい。
【０３６６】
上述した実施の形態の画像形成システムにおいては、ＣＭＹＫの複数の色のトナーを用いて画像を形成するようにしたが、１色のトナーを用いて画像を形成するようにしてもよい。
【符号の説明】
【０３６７】
１０  画像形成システム
３０  印刷装置
４０  後処理機
５０、５００、５０２、５０４  ＤＦＥ
５１  レンダリングエンジン
５２  ｓｉ１部
５３  ＴＲＣ
５４  ｓｉ２部
５５  ハーフトーンエンジン
５６  クリアプロセッシング
５７  ｓｉ３部
６０  ＭＩＣ
７０  プリンタ機
８０  グロッサー
９０Ａ  後処理機
９０Ｂ  後処理機
【先行技術文献】
【特許文献】
【０３６８】
【特許文献１】特許第３４７３５８８号公報
【特許文献２】特開２００７−０３４０４０号公報
【図１】
0005910185.tif 000002
【図２】
0005910185.tif 000003
【図３】
0005910185.tif 000004
【図４−１】
0005910185.tif 000005
【図４−２】
0005910185.tif 000006
【図５】
0005910185.tif 000007
【図６】
0005910185.tif 000008
【図７】
0005910185.tif 000009
【図８】
0005910185.tif 000010
【図９】
0005910185.tif 000011
【図１０】
0005910185.tif 000012
【図１１】
0005910185.tif 000013
【図１２】
0005910185.tif 000014
【図１３】
0005910185.tif 000015
【図１４】
0005910185.tif 000016
【図１５】
0005910185.tif 000017
【図１６】
0005910185.tif 000018
【図１７】
0005910185.tif 000019
【図１８】
0005910185.tif 000020
【図１９】
0005910185.tif 000021
【図２０】
0005910185.tif 000022
【図２１】
0005910185.tif 000023
【図２２】
0005910185.tif 000024
【図２３】
0005910185.tif 000025
【図２４】
0005910185.tif 000026
【図２５】
0005910185.tif 000027
【図２６】
0005910185.tif 000028
【図２７】
0005910185.tif 000029
【図２８】
0005910185.tif 000030
【図２９】
0005910185.tif 000031
【図３０】
0005910185.tif 000032
【図３１】
0005910185.tif 000033
【図３２】
0005910185.tif 000034
【図３３】
0005910185.tif 000035
【図３４】
0005910185.tif 000036
【図３５】
0005910185.tif 000037
【図３６】
0005910185.tif 000038
【図３７】
0005910185.tif 000039
【図３８】
0005910185.tif 000040
【図３９】
0005910185.tif 000041
【図４０】
0005910185.tif 000042
【図４１】
0005910185.tif 000043
【図４２】
0005910185.tif 000044